(57)【特許請求の範囲】
【請求項１】
第１ネットワークノードと第２ネットワークノードとの間に共通伝送通路を確立することであって、前記共通伝送通路のユーザプレーンプロトコルに端末装置を識別するための予約文字が配置されていることと、
前記第１ネットワークノードが、前記端末装置から送信された上り情報を受信することであって、前記端末装置は、非活性状態にあり、且つ前記第２ネットワークノードのサービス領域から前記第１ネットワークノードのサービス領域まで移動する端末であることと、
前記第１ネットワークノードが、前記上り情報および前記端末装置の識別情報を、前記共通伝送通路を介して、前記第２ネットワークノードに送信することであって、前記第１ネットワークノードは、前記上り情報を送信すると同時に、前記端末装置の識別情報を前記予約文字に記入することと、
前記第１ネットワークノードが、前記共通伝送通路を介して、前記第２ネットワークノードが前記上り情報を解析した後に得られた解析結果を受信することであって、前記解析結果は、前記第２ネットワークノードが前記端末装置の識別情報に基づいて解析することにより得られるものであることと、
を含む、情報伝送方法。
【請求項２】
前記第１ネットワークノードは前記端末装置のターゲット基地局であり、前記第２ネットワークノードは前記端末装置のソース基地局である、請求項１に記載の情報伝送方法。
【請求項３】
前記第１ネットワークノードは、集中ユニットおよび分散ユニットＣＵ−ＤＵネットワークアーキテクチャにおける前記端末装置のターゲット分散ユニットＤＵおよび集中ユニットＣＵであり、前記第２ネットワークノードは、前記ＣＵ−ＤＵネットワークアーキテクチャにおける前記端末装置のソース分散ユニットＤＵおよび前記集中ユニットＣＵである、請求項１に記載の情報伝送方法。
【請求項４】
前記第１ネットワークノードが、前記上り情報および前記端末装置の識別情報を、前記共通伝送通路を介して、前記第２ネットワークノードに送信することは、
前記ターゲットＤＵが、前記上り情報および前記端末装置の識別情報を、前記共通伝送通路を介して、前記ソースＤＵの無線リンク層制御プロトコルＲＬＣ層に送信し、且つ、前記ソースＤＵのＲＬＣ層を介して前記ＣＵのパケットデータ収束プロトコルＰＤＣＰ層に送信することを含み、
前記第１ネットワークノードが、前記共通伝送通路を介して、前記第２ネットワークノードが前記上り情報を解析した後に得られた解析結果を受信することは、
前記ターゲットＤＵが、前記共通伝送通路を介して、前記ソースＤＵから送信された解析結果を受信することであって、前記解析結果は、前記ＣＵのＰＤＣＰ層により前記上り情報を解析して得られ、前記ＣＵのＰＤＣＰ層を介して前記ソースＤＵのＲＬＣ層に送信されることを含む、請求項３に記載の情報伝送方法。
【請求項５】
前記ＣＵ−ＤＵネットワークアーキテクチャには、ユーザプレーンプロトコルサービスデータユニットＳＤＵおよびＲＬＣ層プロトコルデータユニットＰＤＵのインタフェースおよびルールが予め配置されている、請求項３または４に記載の情報伝送方法。
【請求項６】
前記ターゲットＤＵが、前記共通伝送通路を介して、前記ソースＤＵのＲＬＣ層から送信された前記ＲＬＣ層のパラメータ配置情報を受信することと、
前記ターゲットＤＵが、前記ターゲットＤＵのＲＬＣ層のパラメータ配置情報を設定し、前記ターゲットＤＵのＲＬＣ層のパラメータ配置情報を、前記共通伝送通路を介して、ソースＤＵのＲＬＣ層に送信し、且つ、前記ソースＤＵのＲＬＣ層を介して前記ＣＵに送信し、前記ターゲットＤＵが前記ソースＤＵのＲＬＣ層から送信された確定指示メッセージを受信すると、前記ＲＬＣ層のパラメータ配置情報を前記端末装置に送信することであって、前記確定指示メッセージは、前記ＣＵが前記ＲＬＣ層のパラメータ配置情報の使用を確定した後に前記ソースＤＵのＲＬＣ層に送信するメッセージであることと、
前記ターゲットＤＵが、前記ターゲットＤＵのＲＬＣ層のパラメータ配置情報を設定し、前記ターゲットＤＵのＲＬＣ層のパラメータ配置情報を、媒体アクセス制御層制御ユニットＭＡＣ  ＣＥにより前記端末装置に送信することと、
のうちの１つを更に含む、請求項３または５のいずれか１項に記載の情報伝送方法。
【請求項７】
第２ネットワークノードと第１ネットワークノードとの間に共通伝送通路を確立することであって、前記共通伝送通路のユーザプレーンプロトコルに端末装置を識別するための予約文字が配置されていることと、
前記第２ネットワークノードが、前記共通伝送通路を介して、前記第１ネットワークノードから送信された上り情報および端末装置の識別情報を受信することであって、前記上り情報は、非活性状態にある端末装置が前記第２ネットワークノードのサービス領域から前記第１ネットワークノードのサービス領域まで移動した後に前記第１ネットワークノードに送信するものであり、前記第１ネットワークノードは、前記上り情報を送信すると同時に、前記端末装置の識別情報を前記予約文字に記入することと、
前記第２ネットワークノードが、前記端末装置の識別情報に基づいて前記上り情報を解析し、解析結果を取得することと、
前記第２ネットワークノードが、前記解析結果を、前記共通伝送通路を介して、前記第１ネットワークノードに送信することと、
を含む、情報伝送方法。
【請求項８】
前記第２ネットワークノードは前記端末装置のソース基地局であり、前記第１ネットワークノードは前記端末装置のターゲット基地局である、請求項７に記載の情報伝送方法。
【請求項９】
前記第２ネットワークノードは、集中ユニットおよび分散ユニットＣＵ−ＤＵネットワークアーキテクチャにおける前記端末装置のソース分散ユニットＤＵおよび集中ユニットＣＵであり、前記第１ネットワークノードは、前記ＣＵ−ＤＵネットワークアーキテクチャにおける前記端末装置のターゲット分散ユニットＤＵおよび前記集中ユニットＣＵである、請求項７に記載の情報伝送方法。
【請求項１０】
前記第２ネットワークノードが、前記共通伝送通路を介して、前記第１ネットワークノードから送信された上り情報および端末装置の識別情報を受信することは、
前記ソースＤＵの無線リンク層制御プロトコルＲＬＣ層が、前記共通伝送通路を介して、前記ターゲットＤＵから送信された前記上り情報および前記端末装置の識別情報を受信することと、
前記ソースＤＵのＲＬＣ層が、前記上り情報および前記端末装置の識別情報を前記ＣＵのパケットデータ収束プロトコルＰＤＣＰ層に送信することと、
を含み、
前記第２ネットワークノードが、前記端末装置の識別情報に基づいて前記上り情報を解析することは、
前記ソースＤＵが、前記ＣＵのＰＤＣＰ層から送信された解析結果を受信することであって、前記解析結果は、前記ＣＵのＰＤＣＰ層が前記端末装置の識別情報に基づいて前記上り情報を解析することにより取得された解析結果を受信することを含み、
前記第２ネットワークノードが、前記解析結果を、前記共通伝送通路を介して、前記第１ネットワークノードに送信することは、
前記ソースＤＵが、前記解析結果を、前記共通伝送通路を介して、前記ターゲットＤＵに送信することを含む、請求項９に記載の情報伝送方法。
【請求項１１】
前記ＣＵ−ＤＵネットワークアーキテクチャには、ユーザプレーンプロトコルサービスデータユニットＳＤＵおよびＲＬＣ層プロトコルデータユニットＰＤＵのインタフェースおよびルールが予め配置されている、請求項９または１０に記載の情報伝送方法。
【請求項１２】
前記ソースＤＵのＲＬＣ層が、前記ＲＬＣ層のパラメータ配置情報を、前記共通伝送通路を介して、前記ターゲットＤＵに送信することを更に含む、
請求項９〜１１のいずれか１項に記載の情報伝送方法。
【請求項１３】
第１ネットワークノードと第２ネットワークノードとの間に共通伝送通路を確立することであって、前記共通伝送通路のユーザプレーンプロトコルに端末装置を識別するための予約文字が配置されていることと、
前記第１ネットワークノードが、前記共通伝送通路を介して、前記第２ネットワークノードから送信された、前記端末装置に送信しようとする下り情報および前記端末装置の識別情報を受信することであって、前記端末装置は、非活性状態にあり、且つ前記第２ネットワークノードのサービス領域から前記第１ネットワークノードのサービス領域まで移動する端末であり、前記第２ネットワークノードは、前記下り情報を前記第１ネットワークノードに送信すると同時に、前記端末装置の識別情報を前記予約文字に記入することと、
前記第１ネットワークノードが、前記端末装置の識別情報に基づき、前記下り情報を前記端末装置の識別情報にマッチングする前記端末装置に送信することと、
を含む、情報伝送方法。
【請求項１４】
前記第１ネットワークノードは前記端末装置のターゲット基地局であり、前記第２ネットワークノードは前記端末装置のソース基地局である、請求項１３に記載の情報伝送方法。
【請求項１５】
前記第１ネットワークノードは、集中ユニットおよび分散ユニットＣＵ−ＤＵネットワークアーキテクチャにおける前記端末装置のターゲット分散ユニットＤＵおよび集中ユニットＣＵであり、前記第２ネットワークノードは、前記ＣＵ−ＤＵネットワークアーキテクチャにおける前記端末装置のソース分散ユニットＤＵおよび前記集中ユニットＣＵである、請求項１３に記載の情報伝送方法。
【請求項１６】
前記第１ネットワークノードが、前記共通伝送通路を介して、前記第２ネットワークノードから送信された、端末装置に送信しようとする下り情報および前記端末装置の識別情報を受信することは、
前記ターゲットＤＵが、前記共通伝送通路を介して、前記ソースＤＵの無線リンク層制御プロトコルＲＬＣ層から送信された前記下り情報および前記端末装置の識別情報を受信することであって、前記下り情報が前記ＣＵのパケットデータ収束プロトコルＰＤＣＰ層から前記ソースＤＵに送信されるものであり、前記端末装置の識別情報が前記ソースＤＵにより前記ＣＵのＰＤＣＰ層から受信された初期識別情報に基づいて処理することにより得られるものであることを含む、請求項１５に記載の情報伝送方法。
【請求項１７】
前記ＣＵ−ＤＵネットワークアーキテクチャには、ユーザプレーンプロトコルサービスデータユニットＳＤＵおよびＲＬＣ層プロトコルデータユニットＰＤＵのインタフェースおよびルールが予め配置されている、請求項１５または１６に記載の情報伝送方法。
【請求項１８】
前記ターゲットＤＵが、前記共通伝送通路を介して、前記ソースＤＵのＲＬＣ層から送信された前記ＲＬＣ層のパラメータ配置情報を受信することと、
前記ターゲットＤＵが、前記ターゲットＤＵのＲＬＣ層のパラメータ配置情報を設定し、前記ターゲットＤＵのＲＬＣ層のパラメータ配置情報を、前記共通伝送通路を介して、ソースＤＵのＲＬＣ層に送信し、且つ、前記ソースＤＵのＲＬＣ層を介して前記ＣＵに送信し、前記ターゲットＤＵが前記ソースＤＵのＲＬＣ層から送信された確定指示メッセージを受信すると、前記ＲＬＣ層のパラメータ配置情報を前記端末装置に送信することであって、前記確定指示メッセージは、前記ＣＵが前記ＲＬＣ層のパラメータ配置情報の使用を確定した後に前記ソースＤＵのＲＬＣ層に送信するメッセージであることと、
前記ターゲットＤＵが、前記ターゲットＤＵのＲＬＣ層のパラメータ配置情報を設定し、前記ターゲットＤＵのＲＬＣ層のパラメータ配置情報を、媒体アクセス制御層制御ユニットＭＡＣ  ＣＥにより前記端末装置に送信することと、
のうちの１つを更に含む、請求項１５〜１７のいずれか１項に記載の情報伝送方法。
【請求項１９】
第２ネットワークノードと第１ネットワークノードとの間に共通伝送通路を確立することであって、前記共通伝送通路のユーザプレーンプロトコルに端末装置を識別するための予約文字が配置されていることと、
前記第２ネットワークノードが、前記端末装置に送信しようとする下り情報および前記端末装置の識別情報を、前記共通伝送通路を介して、前記第１ネットワークノードに送信することであって、前記端末装置は、非活性状態にあり、且つ前記第２ネットワークノードのサービス領域から前記第１ネットワークノードのサービス領域まで移動する端末であり、前記第２ネットワークノードは、前記下り情報を前記第１ネットワークノードに送信すると同時に、前記端末装置の識別情報を前記予約文字に記入することと、
を含む、情報伝送方法。
【請求項２０】
前記第２ネットワークノードは前記端末装置のソース基地局であり、前記第１ネットワークノードは前記端末装置のターゲット基地局である、請求項１９に記載の情報伝送方法。
【請求項２１】
前記第２ネットワークノードは、集中ユニットおよび分散ユニットＣＵ−ＤＵネットワークアーキテクチャにおける前記端末装置のソース分散ユニットＤＵおよび集中ユニットＣＵであり、前記第２ネットワークノードは、前記ＣＵ−ＤＵネットワークアーキテクチャにおける前記端末装置のターゲット分散ユニットＤＵおよび前記集中ユニットＣＵである、請求項１９に記載の情報伝送方法。
【請求項２２】
前記第２ネットワークノードが、前記端末装置に送信しようとする下り情報および前記端末装置の識別情報を、前記共通伝送通路を介して、前記第１ネットワークノードに送信することは、
前記ソースＤＵの無線リンク層制御プロトコルＲＬＣ層が、前記ＣＵのパケットデータ収束プロトコルＰＤＣＰ層から送信された前記下り情報および初期識別情報を受信し、前記初期識別情報を処理して前記端末装置の識別情報を取得することと、
前記ソースＤＵのＲＬＣ層が、下り情報および前記端末装置の識別情報を、前記共通伝送通路を介して、前記ターゲットＤＵに送信することと、
を含む、請求項２１に記載の情報伝送方法。
【請求項２３】
前記ＣＵ−ＤＵネットワークアーキテクチャには、ユーザプレーンプロトコルサービスデータユニットＳＤＵおよびＲＬＣ層プロトコルデータユニットＰＤＵのインタフェースおよびルールが予め配置されている、請求項２１または２２に記載の情報伝送方法。
【請求項２４】
前記ソースＤＵのＲＬＣ層が、前記ＲＬＣ層のパラメータ配置情報を、前記共通伝送通路を介して、前記ターゲットＤＵに送信することを更に含む、
請求項２１〜２３のいずれか１項に記載の情報伝送方法。
【請求項２５】
第１ネットワークノード内に設けられている情報伝送装置であって、
第２ネットワークノードとの間に共通伝送通路を確立するように設置される第１確立モジュールであって、前記共通伝送通路のユーザプレーンプロトコルに端末装置を識別するための予約文字が配置されている第１確立モジュールと、
前記端末装置から送信された上り情報を受信するように設置される第１受信モジュールであって、前記端末装置は、非活性状態にあり、且つ前記第２ネットワークノードのサービス領域から前記第１ネットワークノードのサービス領域まで移動する端末である第１受信モジュールと、
前記上り情報および前記端末装置の識別情報を、前記共通伝送通路を介して、前記第２ネットワークノードに送信するように設置される第１送信モジュールであって、前記第１ネットワークノードは、前記上り情報を送信すると同時に、前記端末装置の識別情報を前記予約文字に記入する第１送信モジュールと、を備え、
前記第１受信モジュールは、更に、前記共通伝送通路を介して、前記第２ネットワークノードが前記上り情報を解析した後に得られた解析結果を受信することであって、前記解析結果は、前記第２ネットワークノードが前記端末装置の識別情報に基づいて解析することにより得られるものであるように設置される、情報伝送装置。
【請求項２６】
前記第１ネットワークノードは前記端末装置のターゲット基地局であり、前記第２ネットワークノードは前記端末装置のソース基地局である、請求項２５に記載の情報伝送装置。
【請求項２７】
前記第１ネットワークノードは、集中ユニットおよび分散ユニットＣＵ−ＤＵネットワークアーキテクチャにおける前記端末装置のターゲット分散ユニットＤＵおよび集中ユニットＣＵであり、前記第２ネットワークノードは、前記ＣＵ−ＤＵネットワークアーキテクチャにおける前記端末装置のソース分散ユニットＤＵおよび前記集中ユニットＣＵである、請求項２５に記載の情報伝送装置。
【請求項２８】
前記第１送信モジュールは、前記ターゲットＤＵが、前記上り情報および前記端末装置の識別情報を、前記共通伝送通路を介して、前記ソースＤＵの無線リンク層制御プロトコルＲＬＣ層に送信し、且つ、前記ソースＤＵのＲＬＣ層を介して前記ＣＵのパケットデータ収束プロトコルＰＤＣＰ層に送信するように設置され、
前記第１受信モジュールは、前記ターゲットＤＵが、前記共通伝送通路を介して、前記ソースＤＵから送信された解析結果を受信し、前記解析結果が前記ＣＵのＰＤＣＰ層を介して前記上り情報を解析して得られ、前記ＣＵのＰＤＣＰ層を介して前記ソースＤＵのＲＬＣ層に送信されるように設置される、請求項２７に記載の情報伝送装置。
【請求項２９】
前記ＣＵ−ＤＵネットワークアーキテクチャには、ユーザプレーンプロトコルサービスデータユニットＳＤＵおよびＲＬＣ層プロトコルデータユニットＰＤＵのインタフェースおよびルールが予め配置されている、請求項２７または２８に記載の情報伝送装置。
【請求項３０】
前記第１受信モジュールは、更に、前記ターゲットＤＵが、前記共通伝送通路を介して、前記ソースＤＵのＲＬＣ層から送信された前記ＲＬＣ層のパラメータ配置情報を受信するように設置され、または、
前記装置は、
前記ターゲットＤＵが前記ターゲットＤＵのＲＬＣ層のパラメータ配置情報を設定するように設置される第１設定モジュールを更に備え、
前記第１送信モジュールは、更に、前記ターゲットＤＵが、前記設定モジュールにより設定された前記ターゲットＤＵのＲＬＣ層のパラメータ配置情報を、前記共通伝送通路を介して、ソースＤＵのＲＬＣ層に送信し、且つ、前記ソースＤＵのＲＬＣ層を介して前記ＣＵに送信するように設置され、前記第１送信モジュールは、更に、前記ターゲットＤＵが前記ソースＤＵのＲＬＣ層から送信された確定指示メッセージを受信すると、前記ＲＬＣ層のパラメータ配置情報を前記端末装置に送信するように設置され、前記確定指示メッセージは、前記ＣＵが前記ＲＬＣ層のパラメータ配置情報の使用を確定した後に前記ソースＤＵのＲＬＣ層に送信するメッセージであり、
前記第１送信モジュールは、更に、前記ターゲットＤＵが、前記設定モジュールにより設定された前記ＲＬＣ層のパラメータ配置情報を、媒体アクセス制御層制御ユニットＭＡＣ  ＣＥにより前記端末装置に送信するように設置される、請求項２７〜２９のいずれか１項に記載の情報伝送装置。
【請求項３１】
第２ネットワークノード内に設けられている情報伝送装置であって、
第１ネットワークノードとの間に共通伝送通路を確立するように設置される第２確立モジュールであって、前記共通伝送通路のユーザプレーンプロトコルに端末装置を識別するための予約文字が配置されている第２確立モジュールと、
前記共通伝送通路を介して、前記第１ネットワークノードから送信された上り情報および端末装置の識別情報を受信するように設置される第２受信モジュールであって、前記上り情報は、非活性状態にある端末装置が前記第２ネットワークノードのサービス領域から前記第１ネットワークノードのサービス領域まで移動した後に前記第１ネットワークノードに送信するものであり、前記第１ネットワークノードは、前記上り情報を送信すると同時に、前記端末装置の識別情報を前記予約文字に記入する第２受信モジュールと、
前記受信モジュールにより受信された前記端末装置の識別情報に基づいて前記上り情報を解析し、解析結果を取得するように設置される解析モジュールと、
前記解析モジュールにより得られた前記解析結果を、前記共通伝送通路を介して、前記第１ネットワークノードに送信するように設置される第２送信モジュールと、
を備える、情報伝送装置。
【請求項３２】
前記第２ネットワークノードは前記端末装置のソース基地局であり、前記第１ネットワークノードは前記端末装置のターゲット基地局である、請求項３１に記載の情報伝送装置。
【請求項３３】
前記第２ネットワークノードは、集中ユニットおよび分散ユニットＣＵ−ＤＵネットワークアーキテクチャにおける前記端末装置のソース分散ユニットＤＵおよび集中ユニットＣＵであり、前記第１ネットワークノードは、前記ＣＵ−ＤＵネットワークアーキテクチャにおける前記端末装置のターゲット分散ユニットＤＵおよび前記集中ユニットＣＵである、請求項３１に記載の情報伝送装置。
【請求項３４】
前記第２受信モジュールは、前記ソースＤＵの無線リンク層制御プロトコルＲＬＣ層が、前記共通伝送通路を介して、前記ターゲットＤＵから送信された前記上り情報および前記端末装置の識別情報を受信するように設置され、
前記第２送信モジュールは、前記ソースＤＵのＲＬＣ層が、前記上り情報および前記端末装置の識別情報を前記ＣＵのパケットデータ収束プロトコルＰＤＣＰ層に送信するように設置され、
前記解析モジュールは、前記ソースＤＵが、前記ＣＵのＰＤＣＰ層から送信された解析結果を受信するように設置され、前記解析結果は、前記ＣＵのＰＤＣＰ層が前記端末装置の識別情報に基づいて前記上り情報を解析することにより得られるものであり、
前記第２送信モジュールは、更に、前記ソースＤＵが、前記解析結果を、前記共通伝送通路を介して、前記ターゲットＤＵに送信するように設置される、請求項３３に記載の情報伝送装置。
【請求項３５】
前記ＣＵ−ＤＵネットワークアーキテクチャには、ユーザプレーンプロトコルサービスデータユニットＳＤＵおよびＲＬＣ層プロトコルデータユニットＰＤＵのインタフェースおよびルールが予め配置されている、請求項３３または３４に記載の情報伝送装置。
【請求項３６】
前記第２送信モジュールは、更に、前記ソースＤＵのＲＬＣ層が、前記ＲＬＣ層のパラメータ配置情報を、前記共通伝送通路を介して、前記ターゲットＤＵに送信するように設置される、
請求項３３〜３５のいずれか１項に記載の情報伝送装置。
【請求項３７】
第１ネットワークノード内に設けられている情報伝送装置であって、
第２ネットワークノードとの間に共通伝送通路を確立するように設置される第３確立モジュールであって、前記共通伝送通路のユーザプレーンプロトコルに端末装置を識別するための予約文字が配置されている第３確立モジュールと、
前記共通伝送通路を介して、前記第２ネットワークノードから送信された、前記端末装置に送信しようとする下り情報および前記端末装置の識別情報を受信するように設置される第３受信モジュールであって、前記端末装置は、非活性状態にあり、且つ前記第２ネットワークノードのサービス領域から前記第１ネットワークノードのサービス領域まで移動する端末であり、前記第２ネットワークノードは、前記下り情報を前記第１ネットワークノードに送信すると同時に、前記端末装置の識別情報を前記予約文字に記入する第３受信モジュールと、
前記受信モジュールにより受信された前記端末装置の識別情報に基づき、前記下り情報を前記端末装置の識別情報にマッチングする前記端末装置に送信するように設置される第３送信モジュールと、
を備える、情報伝送装置。
【請求項３８】
前記第１ネットワークノードは前記端末装置のターゲット基地局であり、前記第２ネットワークノードは前記端末装置のソース基地局である、請求項３７に記載の情報伝送装置。
【請求項３９】
前記第１ネットワークノードは、集中ユニットおよび分散ユニットＣＵ−ＤＵネットワークアーキテクチャにおける前記端末装置のターゲット分散ユニットＤＵおよび集中ユニットＣＵであり、前記第２ネットワークノードは、前記ＣＵ−ＤＵネットワークアーキテクチャにおける前記端末装置のソース分散ユニットＤＵおよび前記集中ユニットＣＵである、請求項３７に記載の情報伝送装置。
【請求項４０】
前記第３受信モジュールは、前記ターゲットＤＵが、前記共通伝送通路を介して、前記ソースＤＵの無線リンク層制御プロトコルＲＬＣ層から送信された前記下り情報および前記端末装置の識別情報を受信し、前記下り情報が前記ＣＵのパケットデータ収束プロトコルＰＤＣＰ層から前記ソースＤＵに送信されるものであり、前記端末装置の識別情報により前記ソースＤＵが前記ＣＵのＰＤＣＰ層から受信された初期識別情報に基づいて処理することにより得られるものであるように設置される、請求項３９に記載の情報伝送装置。
【請求項４１】
前記ＣＵ−ＤＵネットワークアーキテクチャには、ユーザプレーンプロトコルサービスデータユニットＳＤＵおよびＲＬＣ層プロトコルデータユニットＰＤＵのインタフェースおよびルールが予め配置されている、請求項３９または４０に記載の情報伝送装置。
【請求項４２】
前記第３受信モジュールは、更に、前記ターゲットＤＵが、前記共通伝送通路を介して、前記ソースＤＵのＲＬＣ層から送信された前記ＲＬＣ層のパラメータ配置情報を受信するように設置され、または、
前記装置は、
前記ターゲットＤＵが前記ターゲットＤＵのＲＬＣ層のパラメータ配置情報を設定するように設置される第２設定モジュールを更に備え、
前記第３送信モジュールは、更に、前記ターゲットＤＵが、前記設定モジュールにより設定された前記ターゲットＤＵのＲＬＣ層のパラメータ配置情報を、前記共通伝送通路を介して、ソースＤＵのＲＬＣ層に送信し、且つ、前記ソースＤＵのＲＬＣ層を介して前記ＣＵに送信するように設置され、前記第３送信モジュールは、更に、前記ターゲットＤＵが前記ソースＤＵのＲＬＣ層から送信された確定指示メッセージを受信すると、前記ＲＬＣ層のパラメータ配置情報を前記端末装置に送信するように設置され、前記確定指示メッセージは、前記ＣＵが前記ＲＬＣ層のパラメータ配置情報の使用を確定した後に前記ソースＤＵのＲＬＣ層に送信するメッセージであり、
前記第３送信モジュールは、更に、前記ターゲットＤＵが、前記設定モジュールにより設定された前記ＲＬＣ層のパラメータ配置情報を、媒体アクセス制御層制御ユニットＭＡＣ  ＣＥにより前記端末装置に送信するように設置される、請求項３９〜４１のいずれか１項に記載の情報伝送装置。
【請求項４３】
第２ネットワークノード内に設けられている情報伝送装置であって、
第１ネットワークノードとの間に共通伝送通路を確立するように設置される第４確立モジュールであって、前記共通伝送通路のユーザプレーンプロトコルに端末装置を識別するための予約文字が配置されている第４確立モジュールと、
前記端末装置に送信しようとする下り情報および前記端末装置の識別情報を、前記共通伝送通路を介して、前記第１ネットワークノードに送信するように設置される第４送信モジュールであって、前記端末装置は、非活性状態にあり、且つ前記第２ネットワークノードのサービス領域から前記第１ネットワークノードのサービス領域まで移動する端末であり、前記第２ネットワークノードは、前記下り情報を前記第１ネットワークノードに送信すると同時に、前記端末装置の識別情報を前記予約文字に記入する第４送信モジュールと、
を備える、情報伝送装置。
【請求項４４】
前記第２ネットワークノードは前記端末装置のソース基地局であり、前記第１ネットワークノードは前記端末装置のターゲット基地局である、請求項４３に記載の情報伝送装置。
【請求項４５】
前記第２ネットワークノードは、集中ユニットおよび分散ユニットＣＵ−ＤＵネットワークアーキテクチャにおける前記端末装置のソース分散ユニットＤＵおよび集中ユニットＣＵであり、前記第２ネットワークノードは、前記ＣＵ−ＤＵネットワークアーキテクチャにおける前記端末装置のターゲット分散ユニットＤＵおよび前記集中ユニットＣＵである、請求項４３に記載の情報伝送装置。
【請求項４６】
前記ソースＤＵの無線リンク層制御プロトコルＲＬＣ層が、前記ＣＵのパケットデータ収束プロトコルＰＤＣＰ層から送信された前記下り情報および初期識別情報を受信し、前記初期識別情報を処理して前記端末装置の識別情報を取得するように設置される第４受信モジュールを更に備え、
前記第４送信モジュールは、更に、前記ソースＤＵのＲＬＣ層が、下り情報および前記端末装置の識別情報を、前記共通伝送通路を介して、前記ターゲットＤＵに送信するように設置される、請求項４５に記載の情報伝送装置。
【請求項４７】
前記ＣＵ−ＤＵネットワークアーキテクチャには、ユーザプレーンプロトコルサービスデータユニットＳＤＵおよびＲＬＣ層プロトコルデータユニットＰＤＵのインタフェースおよびルールが予め配置されている、請求項４５または４６に記載の情報伝送装置。
【請求項４８】
前記第４送信モジュールは、更に、前記ソースＤＵのＲＬＣ層が、前記ＲＬＣ層のパラメータ配置情報を、前記設定モジュールにより設定された前記共通伝送通路を介して、前記ターゲットＤＵに送信するように設置される、
請求項４５〜４７のいずれか１項に記載の情報伝送装置。
【発明の詳細な説明】
【技術分野】
【０００１】
本発明は無線通信の技術分野に関し、例えば、情報伝送方法および装置に関するが、それらに限定されない。
【背景技術】
【０００２】
無線通信技術の発展に伴い、新たな規格において、端末装置と基地局との間の情報伝送の形態が規定されている。例えば、現在の第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）規格において、端末装置が非活性状態または軽接続状態で上りデータ／下りデータの伝送を行うことがサポートされている。
【０００３】
非活性状態では、端末装置が移動する可能性があり、すなわち、端末装置が属する基地局が変化する可能性があるため、端末装置の上りデータが新たな基地局に達すると、新たな基地局（以下、ターゲット基地局と呼ぶ）には端末装置のコンテキスト等の関連情報がないため、ターゲット基地局は、端末装置から送信された上り情報を復号できない。上記問題に対し、関連技術で解決策が提案され、具体的には、ターゲット基地局がソース基地局へ該端末装置のコンテキスト等の関連情報を要求し、ソース基地局が、端末装置のコンテキスト等の関連情報をターゲット基地局にフロントホール（ｆｒｏｎｔｈａｕｌ）し、例えば、ソース基地局が、ロングタームイボリューション（Ｌｏｎｇ  Ｔｅｒｍ  Ｅｖｏｌｕｔｉｏｎ、ＬＴＥ）システムにおけるＸ２インタフェースを介してコンテキスト等の関連情報をターゲット基地局にフロントホールする。上記技術案は、ターゲット基地局側に端末装置のコンテキスト等の関連情報がないことに起因して端末装置から送信された上り情報を復号できないという問題を解決できるが、ターゲット基地局はソース基地局へ端末装置のコンテキスト等の関連情報を要求するプロセスには、時間がかかり、大きなネットワーク遅延をもたらす。
【発明の概要】
【発明が解決しようとする課題】
【０００４】
本発明の実施例は、関連技術における非活性状態の端末装置では、ソース基地局のサービス領域からターゲット基地局のサービス領域まで移動した後に上り情報伝送を行うプロセスにおいて、ターゲット基地局がソース基地局へ端末装置のコンテキスト等の関連情報を要求することに起因して情報伝送のネットワーク遅延が大きくなるという問題を解決する情報伝送方法および装置を提供する。
【課題を解決するための手段】
【０００５】
一実施例において、本発明の実施例は、
第１ネットワークノードと第２ネットワークノードとの間に共通伝送通路を確立することであって、前記共通伝送通路のユーザプレーンプロトコルに端末装置を識別するための予約文字が配置されていることと、
前記第１ネットワークノードが、前記端末装置から送信された上り情報を受信することであって、前記端末装置は、非活性状態にあり、且つ前記第２ネットワークノードのサービス領域から前記第１ネットワークノードのサービス領域まで移動する端末であることと、
前記第１ネットワークノードが、前記上り情報および前記端末装置の識別情報を、前記共通伝送通路を介して、前記第２ネットワークノードに送信することであって、前記第１ネットワークノードは、前記上り情報を送信すると同時に、前記端末装置の識別情報を前記予約文字に記入することと、
前記第１ネットワークノードが、前記共通伝送通路を介して、前記第２ネットワークノードが前記上り情報を解析した後に得られた解析結果を受信することであって、前記解析結果は、前記第２ネットワークノードが前記端末装置の識別情報に基づいて解析することにより得られるものであることと、
を含む情報伝送方法を提供する。
【０００６】
一実施例において、本発明の実施例は、
第２ネットワークノードと第１ネットワークノードとの間に共通伝送通路を確立することであって、前記共通伝送通路のユーザプレーンプロトコルに端末装置を識別するための予約文字が配置されていることと、
前記第２ネットワークノードが、前記共通伝送通路を介して、前記第１ネットワークノードから送信された上り情報および端末装置の識別情報を受信することであって、前記上り情報は、非活性状態にある端末装置が前記第２ネットワークノードのサービス領域から前記第１ネットワークノードのサービス領域まで移動した後に前記第１ネットワークノードに送信するものであり、前記第１ネットワークノードは、前記上り情報を送信すると同時に、前記端末装置の識別情報を前記予約文字に記入することと、
前記第２ネットワークノードが、前記端末装置の識別情報に基づいて前記上り情報を解析し、解析結果を取得することと、
前記第２ネットワークノードが、前記解析結果を、前記共通伝送通路を介して、前記第１ネットワークノードに送信することと、
を含む情報伝送方法を提供する。
【０００７】
一実施例において、本発明の実施例は、
第１ネットワークノードと第２ネットワークノードとの間に共通伝送通路を確立することであって、前記共通伝送通路のユーザプレーンプロトコルに端末装置を識別するための予約文字が配置されていることと、
前記第１ネットワークノードが、前記共通伝送通路を介して、前記第２ネットワークノードから送信された、端末装置に送信しようとする下り情報および前記端末装置の識別情報を受信することであって、前記端末装置は、非活性状態にあり、且つ前記第２ネットワークノードのサービス領域から前記第１ネットワークノードのサービス領域まで移動する端末であり、前記第２ネットワークノードは、前記下り情報を前記第１ネットワークノードに送信すると同時に、前記端末装置の識別情報を前記予約文字に記入することと、
前記第１ネットワークノードが、前記端末装置の識別情報に基づき、前記下り情報を前記端末装置の識別情報にマッチングする前記端末装置に送信することと、
を含む情報伝送方法を提供する。
【０００８】
一実施例において、本発明の実施例は、
第２ネットワークノードと第１ネットワークノードとの間に共通伝送通路を確立することであって、前記共通伝送通路のユーザプレーンプロトコルに端末装置を識別するための予約文字が配置されていることと、
前記第２ネットワークノードが、前記端末装置に送信しようとする下り情報および前記端末装置の識別情報を、前記共通伝送通路を介して、前記第１ネットワークノードに送信することであって、前記端末装置は、非活性状態にあり、且つ前記第２ネットワークノードのサービス領域から前記第１ネットワークノードのサービス領域まで移動する端末であり、前記第２ネットワークノードは、前記下り情報を前記第１ネットワークノードに送信すると同時に、前記端末装置の識別情報を前記予約文字に記入することと、
を含む情報伝送方法を提供する。
【０００９】
一実施例において、本発明の実施例は、
第１ネットワークノード内に設けられている情報伝送装置であって、
第２ネットワークノードとの間に共通伝送通路を確立するように設置される第１確立モジュールであって、前記共通伝送通路のユーザプレーンプロトコルに端末装置を識別するための予約文字が配置されている第１確立モジュールと、
前記端末装置から送信された上り情報を受信するように設置される第１受信モジュールであって、前記端末装置は、非活性状態にあり、且つ前記第２ネットワークノードのサービス領域から前記第１ネットワークノードのサービス領域まで移動する端末である第１受信モジュールと、
前記上り情報および前記端末装置の識別情報を、前記共通伝送通路を介して、前記第２ネットワークノードに送信するように設置される第１送信モジュールであって、前記第１ネットワークノードは、前記上り情報を送信すると同時に、前記端末装置の識別情報を前記予約文字に記入する第１送信モジュールと、
を備え、
前記第１受信モジュールは、更に、前記共通伝送通路を介して、前記第２ネットワークノードが前記上り情報を解析した後に得られた解析結果を受信することであって、前記解析結果は、前記第２ネットワークノードが前記端末装置の識別情報に基づいて解析することにより得られるものであるように設置される情報伝送装置を提供する。
【００１０】
一実施例において、本発明の実施例は、
第２ネットワークノード内に設けられている情報伝送装置であって、
第１ネットワークノードとの間に共通伝送通路を確立するように設置される第２確立モジュールであって、前記共通伝送通路のユーザプレーンプロトコルに端末装置を識別するための予約文字が配置されている第２確立モジュールと、
前記共通伝送通路を介して、前記第１ネットワークノードから送信された上り情報および端末装置の識別情報を受信するように設置される第２受信モジュールであって、前記上り情報は、非活性状態にある端末装置が前記第２ネットワークノードのサービス領域から前記第１ネットワークノードのサービス領域まで移動した後に前記第１ネットワークノードに送信するものであり、前記第１ネットワークノードは、前記上り情報を送信すると同時に、前記端末装置の識別情報を前記予約文字に記入する第２受信モジュールと、
前記受信モジュールにより受信された前記端末装置の識別情報に基づいて前記上り情報を解析し、解析結果を取得するように設置される解析モジュールと、
前記解析モジュールにより得られた前記解析結果を、前記共通伝送通路を介して、前記第１ネットワークノードに送信するように設置される第２送信モジュールと、
を備える情報伝送装置を提供する。
【００１１】
一実施例において、本発明の実施例は、
第１ネットワークノード内に設けられている情報伝送装置であって、
第２ネットワークノードとの間に共通伝送通路を確立するように設置される第３確立モジュールであって、前記共通伝送通路のユーザプレーンプロトコルに端末装置を識別するための予約文字が配置されている第３確立モジュールと、
前記共通伝送通路を介して、前記第２ネットワークノードから送信された、前記端末装置に送信しようとする下り情報および前記端末装置の識別情報を受信するように設置される第３受信モジュールであって、前記端末装置は、非活性状態にあり、且つ前記第２ネットワークノードのサービス領域から前記第１ネットワークノードのサービス領域まで移動する端末であり、前記第２ネットワークノードは、前記下り情報を前記第１ネットワークノードに送信すると同時に、前記端末装置の識別情報を前記予約文字に記入する第３受信モジュールと、
前記受信モジュールにより受信された前記端末装置の識別情報に基づき、前記下り情報を前記端末装置の識別情報にマッチングする前記端末装置に送信するように設置される第３送信モジュールと、
を備える情報伝送装置を提供する。
【００１２】
一実施例において、本発明の実施例は、
第２ネットワークノード内に設けられている情報伝送装置であって、
第１ネットワークノードとの間に共通伝送通路を確立するように設置される第４確立モジュールであって、前記共通伝送通路のユーザプレーンプロトコルに端末装置を識別するための予約文字が配置されている第４確立モジュールと、
前記端末装置に送信しようとする下り情報および前記端末装置の識別情報を、前記共通伝送通路を介して、前記第１ネットワークノードに送信するように設置される第４送信モジュールであって、前記端末装置は、非活性状態にあり、且つ前記第２ネットワークノードのサービス領域から前記第１ネットワークノードのサービス領域まで移動する端末であり、前記第２ネットワークノードは、前記下り情報を前記第１ネットワークノードに送信すると同時に、前記端末装置の識別情報を前記予約文字に記入する第４送信モジュールと、
を備える情報伝送装置を提供する。
【発明の効果】
【００１３】
本発明の実施例に係る情報伝送方法および装置は、非活性状態の端末装置が、ソース基地局のサービス領域からターゲット基地局のサービス領域に移動まで移動した後に上り情報伝送を行うプロセスにおいて、ターゲット基地局がソース基地局へ端末装置のコンテキスト情報を要求することに起因して情報伝送のネットワーク遅延が大きくなるという問題を解決する。
【図面の簡単な説明】
【００１４】
図面は、本発明の技術案に対する更なる理解を提供し、明細書の一部を構成し、本発明の実施例とともに本発明の技術案を解釈するためのものであり、本発明の技術案を制限するものではない。
【００１５】
【図１】一実施例におけるＬＴＥシステムのネットワークアーキテクチャの模式図である。
【図２】一実施例におけるＬＴＥシステム内の４ステップのランダムアクセスプロセスのフローチャートである。
【図３】一実施例におけるＬＴＥシステム内の２ステップのランダムアクセスプロセスのフローチャートである。
【図４】本発明の実施例に係る情報伝送方法のフローチャートである。
【図５】本発明の実施例に係るＧＴＰ−Ｕプロトコルのデータ構造模式図である。
【図６】一実施例におけるＣ−ＲＡＮアーキテクチャの構造模式図である。
【図７】ＣＵ−ＤＵ分離ネットワークアーキテクチャの構造模式図である。
【図８】本発明の実施例に係る情報伝送方法をＣＵ−ＤＵ分離ネットワークアーキテクチャに適用した使用シーンの模式図である。
【図９】本発明の実施例に係る情報伝送方法のシグナリングインタラクションのフローチャートである。
【図１０】本発明の実施例に係る別の情報伝送方法のフローチャートである。
【図１１】本発明の実施例に係る情報伝送装置の構造模式図である。
【図１２】本発明の実施例に係る別の情報伝送装置の構造模式図である。
【図１３】本発明の実施例に係る他の情報伝送方法のフローチャートである。
【図１４】本発明の実施例に係る別の情報伝送方法のシグナリングインタラクションのフローチャートである。
【図１５】本発明の実施例に係る更なる情報伝送方法のフローチャートである。
【図１６】本発明の実施例に係る他の情報伝送装置の構造模式図である。
【図１７】本発明の実施例に係る更なる情報伝送装置の構造模式図である。
【発明を実施するための形態】
【００１６】
図面のフローチャートに示すステップは、１セットのコンピュータ実行可能命令のようなコンピュータシステムで実行することができる。且つ、フローチャートにおいて論理的順序を示すが、ここでの順序と異なる順序で示されたまたは説明されたステップを実行してもよい。
【００１７】
本発明の実施例に係る情報伝送方法を説明する前に、まず、ＬＴＥシステムにおける基本的なネットワーク構築を簡単に紹介する。図１に示すように、一実施例におけるＬＴＥシステムのネットワークアーキテクチャの模式図である。ＬＴＥシステムは、発展型ユニバーサル地上波無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）およびコアネットワーク（Ｃｏｒｅ  Ｎｅｔｗｏｒｋ、ＣＮ）を含み、Ｅ−ＵＴＲＡＮは発展型基地局（ｅｖｏｌｖｅｄ  Ｎｏｄｅ  Ｂ、ｅＮＢ）を備え、ＣＮは移動管理エンティティ（Ｍｏｂｉｌｅ  Ｍａｎａｇｅｍｅｎｔ  Ｅｎｔｉｔｙ、ＭＭＥ）およびサービングゲートウェイ（Ｓｅｒｖｉｎｇ  Ｇａｔｅｗａｙ、Ｓ−ＧＷ）等を備える。ここで、ｅＮＢとＣＮとの間はＳ１インタフェースを介して接続され、ｅＮＢの間はＸ２インタフェースを介して接続され、１つのｅＮＢは、１つまたは複数のセル（Ｃｅｌｌ）を管理することができる。端末装置は、ユーザ装置（Ｕｓｅｒ  Ｅｑｕｉｐｍｅｎｔ、ＵＥ）とも呼ばれ、ユーザ装置とセルとの間のインタフェースはＵｕインタフェース（またはエアインタフェースと呼ばれる）（図１において、ｅＮＢにより管理されるセルおよびＵｕインタフェースが示されない）と呼ばれる。
【００１８】
ＬＴＥシステムにおいて、プロトコルの規定に従い、端末装置が基地局と通信するために、まず、端末装置が該基地局にアクセスし、すなわち、非リンク状態の端末装置がランダムアクセスプロセスにより基地局と接続を確立してから通信することができる。通常のランダムアクセスプロセスは２種類の形態があり、以下にそれぞれを説明する。
【００１９】
図２は、一実施例におけるＬＴＥシステム内の４ステップのランダムアクセスプロセスのフローチャートである。コンテンションベースのランダムアクセスプロセスは、通常、以下の４つのステップを含む。
【００２０】
ステップ１において、端末装置はランダムアクセス要求メッセージを送信し、例えば、システム情報または無線リソース制御（Ｒａｄｉｏ  Ｒｅｓｏｕｒｃｅ  Ｃｏｎｔｒｏｌ、ＲＲＣ）シグナリングにより、ランダムアクセスに設置された利用可能なプリアンブル系列符号およびプリアンブル系列を送信する時間周波数位置を知り、その後、利用可能なリソース内から、プリアンブル系列およびプリアンブル系列を送信する時間周波数位置をランダムに選択し、基地局に送信する。
【００２１】
ステップ２において、基地局は、ランダムアクセス応答メッセージを送信し、例えば、ランダムアクセスプリアンブル系列が採用した時間周波数位置により、端末が採用する可能性のあるランダムアクセスに設置された無線ネットワーク一時識別子（Ｒａｎｄｏｍ  Ａｃｃｅｓｓ  Ｒａｄｉｏ  Ｎｅｔｗｏｒｋ  Ｔｅｍｐｏｒｙ  Ｉｄｅｎｔｉｔｙ、ＲＡ−ＲＮＴＩ）を判断し、基地局がプリアンブル系列を復号すると、端末にランダムアクセス応答を返信し、応答に上りグラント等の情報が担持されている。
【００２２】
ステップ３において、伝送をスケジューリングし、端末は上りグラントのリソースで上りデータを送信し、端末の識別子等の情報を担持する。
【００２３】
ステップ４において、基地局は上りグラントのリソースで上りデータを解析し、端末を確認し、衝突を解決し、コンテンション決議識別子を端末に送信する。
【００２４】
図２に示すランダムアクセスプロセスから分かるように、端末装置がネットワークデバイスにアクセスするために、多くのシグナリングオーバーヘッドがかかり、長い時間がかかる。そのため、ネットワーク認証を実行する遅延が長く、トラフィックの低遅延に対するニーズを満たしにくい。
【００２５】
トラフィックの低遅延に対するニーズがますます多くなるにつれ、ランダムアクセスプロセスの簡略化も次第に注目され、特に、非直交多元技術が認められ、ランダムアクセスプロセスは、２ステップのランダムアクセスプロセスに簡略化され得る。端末装置は、スケジューリングなし（Ｇｒａｎｔ  ｆｒｅｅ）の場合に上りデータを基地局に送信することができる。図３に示すように、一実施例におけるＬＴＥシステム内の２ステップのランダムアクセスプロセスのフローチャートであり、主に以下の２つのステップを含む。
【００２６】
ステップ１において、端末はスケジューリングなしのリソースプール内からリソースを選択し、上りデータを送信する。
【００２７】
ステップ２において、基地局は上りデータを解析した後、応答またはデータを返信する。
【００２８】
図３に示す２ステップのランダムアクセスプロセスは、端末装置のネットワークにアクセスする遅延、ネットワークデバイスとの間のシグナリングオーバーヘッドを低減する。しかし、図２に示す４ステップのランダムアクセスプロセスは、衝突の解決に更に寄与し、実際の応用において、どちらのランダムアクセスプロセスを用いるかは実際の状況に応じて選択することができる。
【００２９】
以下、実施例を参照しながら本発明の技術案について説明し、各実施例における端末装置とは、非活性状態または軽接続状態の端末装置、例えば、ＵＥを指し、第２ネットワークノードは端末装置のソースサービス基地局であり、第１ネットワークノードは、該端末装置が非活性状態にある場合に移動し到達した新たなサービス基地局である。本発明に係る以下のいくつかの実施例を互いに組み合わせることができ、同じまたは類似する概念またはプロセスについては、一部の実施例で省略する可能性があるため、ここでは省略する。
【００３０】
一実施例において、本発明の実施例における端末装置は非活性状態または軽接続状態の端末装置であり、非活性状態および軽接続状態技術に関する標準プロトコルを採用することができる。ＬＴＥシステムは、ＬＴＥ  Ｒ１４の標準化プロセス中の軽接続技術（Ｌｉｇｈｔｅｄ  Ｃｏｎｎｅｃｔｅｄ  ＵＥ）および第５世代無線通信（ｔｈｅ  ５ｔｈ  Ｇｅｎｅｒａｔｉｏｎ  Ｍｏｂｉｌｅ  Ｃｏｍｍｕｎｉｃａｔｉｏｎ、５Ｇ）システムの非活性状態（ｉｎａｃｔｉｖｅ  ｓｔａｔｅ）等を含むシグナリングオーバーヘッドの低減に関する技術が複数ある。端末装置にデータ伝送がない場合、端末装置とネットワークデバイスとの間は、「軽い」の接続状態または非活性状態を保持することができる。例えば、非活性状態技術において、端末装置とネットワークデバイスとの間のＲＲＣ接続が切断されるが、基地局は、該端末装置に対するＳ１インタフェース接続を常に維持し、非活性状態にある端末装置がデータを送信しようとする場合、該端末装置とネットワークデバイスとの接続を再確立する必要がある。以下に説明する端末装置が非活性状態にあることとは、同様に、該端末装置が軽接続状態にあることを意味する。
【００３１】
図４は、本発明の実施例に係る情報伝送方法のフローチャートである。本実施例に係る情報伝送方法は、非活性状態または軽接続状態の端末装置がソースサービス基地局のサービス領域か出た後に該ソースサービス基地局と情報伝送を行う場合に適用され、該方法は情報伝送装置によって実行でき、該情報伝送装置はハードウェアとソフトウェアとを組み合わせる形態によって実現され、該装置は第１ネットワークノード（すなわち、ターゲットサービス基地局）のプロセッサに集積されてプロセッサにより呼び出され使用され得る。図４に示すように、本実施例の方法は、以下のようなステップを含んでもよい。
【００３２】
Ｓ１１０において、第１ネットワークノードと第２ネットワークノードとの間に共通伝送通路を確立し、ここで、前記共通伝送通路のユーザプレーンプロトコルに端末装置を識別するための予約文字が配置されている。
【００３３】
本発明の実施例に係る情報伝送方法は、端末装置とソースサービス基地局との間で情報伝送を行う形態である。本発明の実施例の使用シーンは、非活性状態または軽接続状態にある端末装置が第２ネットワークノードのサービス領域から出て、且つ第１ネットワークノードのサービス領域まで移動したというシーンである。端末装置の上り情報が第２ネットワークノードに到達し、または第２ネットワークノードの下りデータが端末装置に到達した場合、端末装置との接続が確立されたサービスノードが第１ネットワークノードであるため、端末装置は該第１ネットワークノードを介して第２ネットワークノードと情報伝送を行う。
【００３４】
ＬＴＥシステムにおいて、共通伝送通路を構築するために、基地局の間に有線接続を確立してもよく、例えば、該共通伝送通路は、汎用パケット無線サービス（Ｇｅｎｅｒａｌ  Ｐａｃｋｅｔ  Ｒａｄｉｏ  Ｓｅｒｖｉｃｅ、ＧＰＲＳ）トンネリングプロトコル（ＧＰＲＳ  Ｔｕｎｎｅｌｌｉｎｇ  Ｐｒｏｔｏｃｏｌ、ＧＴＰ）ベースのＧＴＰトンネルである。ＬＴＥシステムでよく見られるＸ２インタフェースおよびＳ１インタフェースは、いずれもＧＴＰプロトコルベースのものであるため、１つのＧＴＰトンネルは、ＧＴＰトンネルエンドポイントおよびインターネットプロトコル（Ｉｎｔｅｒｎｅｔ  Ｐｒｏｔｏｃｏｌ、ＩＰ）アドレスによって判別され、ソーストンネルエンドポイント識別子ＴＥＩＤ、ターゲットＴＥＩＤ、ソースＩＰアドレス、およびターゲットＩＰアドレスを含む。ＧＴＰトンネルの受信端は、送信端で使用するＴＥＩＤ値を割り当て、ＴＥＩＤ値はＧＴＰ制御メッセージ（例えば、ＧＴＰ−Ｃ）によりＴＥＩＤ値のインタラクションを行い、制御プレーンとユーザプレーンとの関連付けは、インタラクションのタイミングで行われ、制御プレーンのＴＥＩＤ（Ｃ）とユーザプレーンに載せられたＴＥＩＤ（Ｕ）とは関連関係を有する。本発明の実施例における第１ネットワークノードと第２ネットワークノードとの間に、該共通伝送通路を確立することができ、第１ネットワークノードと第２ネットワークノードとの間に確立された共通伝送通路は、２つのネットワークノード間のデータ情報および制御情報を伝送するために用いられ、該共通伝送通路はＧＴＰプロトコルベースのものであり、データ情報の伝送は、ＧＴＰユーザプレーンプロトコルベースのものである。２つのネットワークノード間の通路が共通であるため、端末装置を識別するための関連情報をＧＴＰユーザプレーンプロトコルに追加し、例えば、後続の情報伝送において端末装置の識別情報を記入するための予約文字をＧＴＰユーザプレーン（ＧＴＰ−Ｕ）プロトコルに追加してもよい。
【００３５】
Ｓ１２０において、第１ネットワークノードは、端末装置から送信された上り情報を受信し、該端末装置は、第２ネットワークノードのサービス領域から前記第１ネットワークノードのサービス領域まで移動し、且つ非活性状態にある端末である。
【００３６】
Ｓ１３０において、第１ネットワークノードは、上り情報および端末装置の識別情報を、共通伝送通路を介して、第２ネットワークノードに送信し、ここで、前記第１ネットワークノードは、前記上り情報を送信すると同時に、前記端末装置の識別情報を前記予約文字に記入する。
【００３７】
本実施例において、端末装置が既に第２ネットワークノードのサービス領域から出て第１ネットワークノードのサービス領域に入ったため、端末装置は、上りデータ伝送がある場合、第１ネットワークノードにより端末装置から送信された上り情報（上りデータ／上り制御情報を含む）を受信し、第１ネットワークノードは、該上り情報を第２ネットワークノードに転送することができ、Ｓ１１０において、既に共通伝送通路のユーザプレーンプロトコルに端末装置を識別するための予約文字を配置したため、第１ネットワークノードは上り情報を送信すると同時に、端末装置の識別情報を予約文字に記入して第２ネットワークノードに送信することができる。
【００３８】
一実施例において、本発明の実施例における端末装置の識別情報は、ＧＴＰ−Ｕプロトコルヘッダに記入されたものであり、すなわち、上記共通伝送通路を確立する際に配置された予約文字に記入されたものであり、例えば、ｒｅｓｕｍｅ  ＩＤまたは分断したｒｅｓｕｍｅ  ＩＤであってもよい。図５に示すように、本発明の実施例に係るＧＴＰ−Ｕプロトコルのデータ構造模式図である。図５における端末装置識別子ＵＥ−ＩＤは、ＧＴＰ−Ｕプロトコルに追加された予約文字であり、第１ネットワークノードは、端末装置の上り情報を受信すると、該端末装置のソースサービス基地局（すなわち、第２ネットワークノード）を知るが、第１ネットワークノードと第２ネットワークノードとの間の共通伝送通路（すなわち、ＧＴＰトンネル）が共通であるため、第２ネットワークノードが上り情報をのみ受信すれば、該上り情報がどの端末装置から送信されたかを知らなくなり、そのため、第１ネットワークノードは、上り情報を送信すると同時に、第２ネットワークノードが該上り情報を正確に復号することを指示するための端末装置の識別情報を担持する。また、ｒｅｓｕｍｅ  ＩＤのバイト数が多く、一般的には５つのバイト（ｂｙｔｅ）であり、すなわち４０ビット（ｂｉｔ）であり、ＧＴＰ−Ｕプロトコルにおける複数行の位置を占有するため、ＵＥ−ＩＤは、分断したｒｅｓｕｍｅ  ＩＤまたは他の形態のＵＥ−ＩＤであってもよい。
【００３９】
Ｓ１４０において、第１ネットワークノードは、共通伝送通路を介して、第２ネットワークノードが上り情報を解析した後に得られた解析結果を受信し、ここで、該解析結果は、第２ネットワークノードが端末装置の識別情報に基づいて解析することにより得られるものである。
【００４０】
本実施例において、第２ネットワークノード（端末装置のソースサービス基地局）は端末装置のコンテキスト情報があり、且つ、第１ネットワークノードが第２ネットワークノードに上り情報を送信すると同時に、端末装置の識別情報が担持されているため、第２ネットワークノードは、端末装置から送信された上り情報を正確にデータ解析することができ、解析結果を取得した後、更に第１ネットワークノードとの共通伝送通路を介して、該解析結果を第１ネットワークノード（端末装置が上りデータを送信する基地局）に送信することができ、第１ネットワークノードが端末装置から送信された上り情報を受信すると、端末装置の上り情報の伝送タスクを完成する。
【００４１】
本発明の実施例に係る情報伝送方法と関連技術との区別は主に以下のとおりである。関連技術のＬＴＥシステムにおける非活性状態の端末装置は、ソース基地局から出た後に上り情報伝送を行う形態において、ターゲット基地局がソース基地局へ端末装置のコンテキスト等の関連情報を要求し、このプロセスは時間がかかり、大きなネットワーク遅延をもたらす。本発明の実施例に係る情報伝送方法はＬＴＥ  Ｒ１４の標準化プロセス中の軽接続状態および５Ｇシステム内の非活性状態の端末装置に対するものであり、端末装置の上り情報が到達する時、第１ネットワークノード（すなわち、ターゲット基地局）は該上り情報を受信すると、該上り情報を第２ネットワークノード（すなわち、ソース基地局）に送信し、第１ネットワークノードと第２ネットワークノードとの間に確立された共通伝送通路を介して、送信することができる。該共通伝送通路のユーザプレーンプロトコルに端末装置を識別するための予約文字が配置されたため、第１ネットワークノードは、上り情報を受信する際に、端末装置の識別情報を該予約文字に記入することができ、すなわち、該端末装置の識別情報を同時に送信し、このように、第２ネットワークノードは、上り情報を受信すると、該上り情報を送信した端末装置を知ることができ、正確な形態で該上り情報を解析した後、第１ネットワークノードに解析結果をフィードバックする。本発明の実施例に係る情報伝送方法は、第１ネットワークノードが第２ネットワークノードへ端末装置のコンテキスト情報を要求するプロセスを省略し、シグナリングオーバーヘッドを節約し、データ解析によるネットワーク遅延の低減に寄与する。
【００４２】
本発明の実施例に係る情報伝送方法は、第１ネットワークノードと第２ネットワークノードとの間に確立された共通伝送通路、および該共通伝送通路のユーザプレーンプロトコルに配置された、端末装置を識別するための予約文字により、第１ネットワークノードは、第２ネットワークノードサービス領域から出た端末装置から送信された上り情報を受信すると、該上り情報および該端末装置の識別情報を、共通伝送通路を介して、共に端末装置のソースサービス基地局（すなわち、第２ネットワークノード）に送信し、その後、第１ネットワークノードは共通伝送通路を介して、第２ネットワークノードが上り情報を解析して得られた解析結果を受信することができる。本発明の実施例に係る方法は、非活性状態の端末装置がソース基地局のサービス領域から出た後に上り情報伝送を行うプロセスにおいて、ターゲット基地局がソース基地局へ端末装置のコンテキスト情報を要求することに起因して情報伝送のネットワーク遅延が大きくなるという問題を解決する。
【００４３】
本発明の実施例に係る情報伝送方法は、従来の一体化基地局に適用されるだけでなく、集中ユニット（Ｃｅｎｔｒａｌ  Ｕｎｉｔ、ＣＵ）および分散ユニット（Ｄｉｓｔｒｉｂｕｔｅｄ  Ｕｎｉｔ、ＤＵ）（すなわち、ＣＵ−ＤＵ）のネットワークアーキテクチャにも適用され得る。
【００４４】
一体化基地局の使用シーンにおいて、第１ネットワークノードは端末装置のターゲット基地局であり、第２ネットワークノードは前記端末装置のソース基地局であり、該使用シーンにおける実現形態は、上記実施例で既に詳細に説明されたため、ここでは省略する。
【００４５】
ＣＵ−ＤＵネットワークアーキテクチャの使用シーンにおいて、現在、集中無線アクセスネットワーク（Ｃｅｎｔｒａｌ  Ｒａｄｉｏ  Ａｃｃｅｓｓ  Ｎｅｔｗｏｒｋ、Ｃ−ＲＡＮ）アーキテクチャを用いたネットワーク配置が、既に人気のあるネットワーク配置態様になりつつあるため、本実施例は、Ｃ−ＲＡＮアーキテクチャを例としてＣ−ＲＡＮアーキテクチャにおける情報伝送方法の応用について説明する。図６に示すように、一実施例におけるＣ−ＲＡＮアーキテクチャの構造模式図であり、ＣＵおよびＤＵに分けられ、１つのＣＵは複数のＤＵと接続でき、そのうち、ＣＵはコアルームに配置され、ＤＵは無線がカバーする領域に配置され、異なるＤＵが異なる領域をカバーし、且つ、ＣＵおよびＤＵは、フロントホールインタフェース（ｆｒｏｎｔｈａｕｌ）を介して接続される。該使用シーンにおいて、第１ネットワークノードは、ＣＵ−ＤＵネットワークアーキテクチャにおける端末装置のターゲットＤＵおよびＣＵであり、第２ネットワークノードは、ＣＵ−ＤＵネットワークアーキテクチャにおける端末装置のソースＤＵおよびＣＵである。
【００４６】
次世代無線アクセス（Ｎｅｗ  Ｒａｄｉｏ、ＮＲ）技術の検討において、プロトコルエンティティのパケットデータ収束プロトコル（Ｐａｃｋｅｔ  Ｄａｔａ  Ｃｏｎｖｅｒｇｅｎｃｅ  Ｐｒｏｔｏｃｏｌ、ＰＤＣＰ）層をＣＵに置き、無線リンク層制御プロトコル（Ｒａｄｉｏ  Ｌｉｎｋ  Ｃｏｎｔｒｏｌ、ＲＬＣ）層、媒体アクセス制御（Ｍｅｄｉａ  Ａｃｃｅｓｓ  Ｃｏｎｔｒｏｌ、ＭＡＣ）層、物理（Ｐｈｙｓｉｃａｌ、ＰＨＹ）層をＤＵに置く。図７に示すように、ＣＵ−ＤＵ分離ネットワークアーキテクチャの構造模式図である。非活性状態の技術において、上りまたは下りデータの送信について、ＭＡＣ層およびＰＨＹ層は一般的にデフォルトの配置を採用するため、本発明の実施例において、ＲＬＣ層、ＰＤＣＰ層等をどのように処理するかを考える。ＲＬＣ層を依然としてソースＤＵに保留する方法と、新たなノードで端末装置に関連ベアラを新たに確立する方法との２種類の態様が採用できる。本発明の実施例は、ＲＬＣ層をソースＤＵに保留する態様を例として、ＣＵ−ＤＵ分離ネットワークアーキテクチャで端末装置およびネットワークデバイスが認証を行う方法について説明する。図８に示すように、本発明の実施例に係る情報伝送方法をＣＵ−ＤＵ分離ネットワークアーキテクチャに適用した使用シーンの模式図であり、ここで、ＲＬＣがソース側に保留される（すなわち、ソースＤＵに保留される）。
【００４７】
図９に示すように、本発明の実施例に係る情報伝送方法のシグナリングインタラクションのフローチャートである。本発明の実施例に係る方法は、ＣＵ−ＤＵ分離ネットワークアーキテクチャに適用され、ここで、ＰＤＣＰ層はＣＵに位置し、ＲＬＣ層、ＭＡＣ層およびＰＨＹ層はＤＵに位置する。非活性状態の端末装置は、新たなＤＵ（すなわち、ターゲットＤＵ）のサービス領域に移動した。ソースＤＵとターゲットＤＵとの間にインタフェースが存在し、且つ、ソースＤＵとターゲットＤＵとの間に、非活性状態の端末装置がデータおよび制御情報を伝送するための共通伝送通路（制御シグナリング通路およびユーザプレーンデータ通路を含む）が確立される。非活性状態の端末装置は、端末装置が非活性状態で上りデータの送信をサポートするように、ソースＤＵおよびターゲットＤＵにいずれもデフォルトのＭＡＣ層およびＰＨＹ層が配置され、ソースＤＵに、端末装置のＲＬＣに関するパラメータおよび配置が保留される。本発明の上記実施例に係る方法は、ＬＴＥシステム内の４ステップのランダムアクセスプロセスを例として、非活性状態の端末装置がソースＤＵから出て且つ上りデータが到達した場合、該端末装置が上り伝送を行う形態について説明し、以下のようなステップを含んでもよい。
【００４８】
Ｓ２１０において、ターゲットＤＵは、端末装置から送信されたランダムアクセス要求メッセージを受信する。
【００４９】
ここで、ランダムアクセス要求メッセージは、主に指定されたリソースによりランダムアクセスプリアンブル（ｐｒｅａｍｂｌｅ）を送信し、指定されたリソースは、固有リソースまたは共通リソースプール内のリソースであってもよい。
【００５０】
Ｓ２２０において、ターゲットＤＵは、ランダムアクセス応答メッセージを端末装置に送信する。
【００５１】
ここで、ランダムアクセス応答メッセージには、タイミングアドバンスメッセージ（ＴＡ）、上りスケジューリング許容メッセージ（ＵＬ  Ｇｒａｎｔ）、端末識別情報（Ｔ−Ｃ−ＲＮＴＩ）、および他の補助情報（ＢＩ）等のメッセージを含んでもよいが、これらに限定されない。
【００５２】
Ｓ２３１において、ターゲットＤＵは、端末装置から送信された上り情報および端末装置の識別情報を受信し、ここで、上り情報に上りデータおよび端末認証情報を含む。
【００５３】
ここで、該上り情報は異なる使用シーンにおいて異なる情報タイプであってもよく、該上り情報の構成は、ｄａｔａ＋ｓｈｏｒｔ  ＭＡＣ−Ｉ  ＋  ｒｅｓｕｍｅ  ＩＤを含んでもよく、ここで、ｓｈｏｒｔ  ＭＡＣ−Ｉは短い媒体アクセス制御フラグである。
【００５４】
Ｓ２３２において、ターゲットＤＵは、上り情報および端末装置の識別情報を、ＧＴＰトンネルを介してソースＤＵのＲＬＣ層に送信する。
【００５５】
Ｓ２３３において、ソースＤＵのＲＬＣ層を介して、上り情報および端末装置の識別情報をＣＵのＰＤＣＰ層に送信する。
【００５６】
ここで、ソースＤＵとターゲットＤＵとの間にインタフェースが存在し、且つ、ソースＤＵとターゲットＤＵとの間でデータ／制御シグナリングの伝送を行うように設置される共通伝送通路が存在するため、ターゲットＤＵは、上りメッセージをソースＤＵのＲＬＣ層に送信し、ソースＤＵのＲＬＣ層を介してＣＵのＰＤＣＰ層に送信することができる。また、ターゲットＤＵとソースＤＵとの間の、非活性状態の端末装置が情報伝送を行うための通路は共通であるため、ＧＴＰ−Ｕの関連プロトコルを拡張し、すなわち、ターゲットＤＵは、ＧＴＰ−Ｕプロトコルヘッダに端末装置の識別情報を追加し、フォーマットは図５に示すデータ構造を参照してもよい。本発明の実施例におけるＳ２３１〜Ｓ２３３は、上記実施例におけるＳ１３０と同様の機能を実現する。
【００５７】
一実施例において、ＲＬＣ層がソースＤＵに保持され、つまり、ターゲットＤＵからソースＤＵの間のインタフェースに伝送されるデータパケットのフォーマットは、ＭＡＣ層のサービスデータユニット（Ｓｅｒｖｉｃｅ  Ｄａｔａ  Ｕｎｉｔ、ＳＤＵ）（すなわち、ＭＡＣ  ＳＤＵ）またはＲＬＣ層のプロトコルデータユニットＰＤＵ（すなわち、ＲＬＣ  ＰＤＵ）であるため、本発明の実施例において、ＣＵ−ＤＵネットワークアーキテクチャには、ＧＰＲＳトンネルプロトコルユーザプレーンサービスデータユニットＧＴＰ−Ｕ  ＳＤＵおよびＲＬＣ  ＰＤＵのインタフェースおよびルールが予め配置されている。
【００５８】
Ｓ２３４において、ＣＵのＰＤＣＰ層は、端末認証情報に基づいて端末装置を認証し、上りデータを復号化し、解析結果を取得する。
【００５９】
ここで、上り情報が該端末装置に到達した使用シーンにおいて、上記上り情報に端末認証情報（例えば、ｓｈｏｒｔ  ＭＡＣ−Ｉである）を含み、ネットワーク側において、ＣＵにおけるＰＤＣＰ層は、端末装置を認証し、上りデータを復号化し、ネットワークデバイスによる端末装置の認証を完成することができる。
【００６０】
Ｓ２３５において、ＣＵのＰＤＣＰ層からソースＤＵに送信されたパケットデータ収束プロトコルプロトコルデータユニットＰＤＣＰ  ＰＤＵを、ＣＣＣＨを介してＵＥに送信する。ここで、ＣＣＣＨは共通制御チャネルである。
【００６１】
Ｓ２４０において、ターゲットＤＵはＧＴＰトンネルを介して、ソースＤＵのＲＬＣ層から送信されたネットワーク認証情報および解析結果を受信し、ここで、該ネットワーク認証情報に端末装置の識別情報が更に担持されてもよく、ネットワーク認証情報は、ｓｈｏｒｔ／ｆｕｌｌ  ＭＡＣ−Ｉ、セキュリティアルゴリズム配置情報、および次ホップチェイニングカウント（Ｎｅｘｔ  Ｈｏｐ  Ｃｈａｉｎｉｎｇ  Ｃｏｕｎｔ、ＮＣＣ）等を含んでもよい。該ネットワーク認証情報はデータパケットの形態で送信され、例えば、パケットデータ収束プロトコルＰＤＣＰプロトコルデータユニット（Ｐｒｏｔｏｃｏｌ  Ｄａｔａ  Ｕｎｉｔ、ＰＤＵ）であり、ｓｈｏｒｔ／ｆｕｌｌ  ＭＡＣ−Ｉは短い媒体アクセス制御フラグ／長い媒体アクセス制御フラグである。本発明の実施例におけるＳ２４０は、上記実施例におけるＳ１４０と同様な機能を実現する。
【００６２】
Ｓ２４１において、ターゲットＤＵは、端末装置へネットワーク認証情報を含むページングメッセージを送信し、ここで、該ネットワーク認証情報は、端末装置がネットワークデバイスを認証することによりコンテンションを解決するために用いられる。
【００６３】
本発明の実施例の別の可能な実現形態において、ターゲットＤＵは他の形態でネットワーク認証情報を送信してもよく、例えば、ターゲットＤＵは、媒体アクセス制御層制御ユニットＭＡＣ  ＣＥで端末装置へネットワーク認証情報を送信する。
【００６４】
本発明の実施例がＣＵ−ＤＵネットワークアーキテクチャに適用されるシーンにおいて、ＭＡＣ層以上の関連パラメータおよび配置情報は、依然としてソース側に保留され、ターゲットＤＵおよびソースＤＵの関連パラメータおよび配置情報をアラインメントし、これは、スケジューリングがターゲットＤＵのＭＡＣ層によって実行され、ＭＡＣ層以上の一部のパラメータがスケジューリングに関するためである。ターゲットＤＵのスケジューリングがパラメータにマッチングすることを確保するために、以下の３種類の形態を採用してもよい。
【００６５】
形態１、ターゲットＤＵは、共通伝送通路を介して、ソースＤＵのＲＬＣ層から送信された該ＲＬＣ層のパラメータ配置情報を受信する。
【００６６】
形態２、ターゲットＤＵはターゲットＤＵのＲＬＣ層のパラメータ配置情報を設定し、該ターゲットＤＵのＲＬＣ層のパラメータ配置情報を、共通伝送通路を介して、ソースＤＵのＲＬＣ層に送信し、且つ、該ソースＤＵのＲＬＣ層を介してＣＵに送信し、該ターゲットＤＵがソースＤＵのＲＬＣ層から送信された確定指示メッセージを受信すると、該ＲＬＣ層のパラメータ配置情報を端末装置に送信し、ここで、該確定指示メッセージは、ＣＵが該ＲＬＣ層のパラメータ配置情報の使用を確定した後にソースＤＵに送信するＲＬＣ層のメッセージである。
【００６７】
形態３、ターゲットＤＵはターゲットＤＵのＲＬＣ層のパラメータ配置情報を設定し、該ターゲットＤＵのＲＬＣ層のパラメータ配置情報を、媒体アクセス制御層制御ユニット（Ｍｅｄｉａ  Ａｃｃｅｓｓ  Ｃｏｎｔｒｏｌ  Ｃｏｎｔｒｏｌ  Ｅｌｅｍｅｎｔ、ＭＡＣ  ＣＥ）を介して端末装置に送信する。図１０は、本発明の実施例に係る別の情報伝送方法のフローチャートである。本実施例に係る情報伝送方法は、非活性状態または軽接続状態の端末装置がソースサービス基地局のサービス領域から出た後に該ソースサービス基地局と情報伝送を行う場合に適用され、該方法は情報伝送装置によって実行でき、該情報伝送装置はハードウェアとソフトウェアとを組み合わせる形態によって実現され、該装置は第２ネットワークノード（すなわち、ソースサービス基地局）のプロセッサに集積されてプロセッサにより呼び出され使用され得る。図１０に示すように、本実施例の方法は、以下のようなステップを含んでもよい。
【００６８】
Ｓ３１０において、第２ネットワークノードと第１ネットワークノードとの間に共通伝送通路を確立し、ここで、該共通伝送通路のユーザプレーンプロトコルに端末装置を識別するための予約文字が配置されている。
【００６９】
本発明の実施例に係る情報伝送方法は、端末装置とソースサービス基地局との間で情報伝送を行う形態である。本発明の実施例の使用シーンは、非活性状態または軽接続状態にある端末装置が第２ネットワークノードのサービス領域から出て、且つ第１ネットワークノードのサービス領域まで移動したというシーンである。端末装置の上り情報が第２ネットワークノードに到達し、または第２ネットワークノードの下りデータが端末装置に到達した場合、端末装置との接続が確立されたサービスノードが第１ネットワークノードであるため、端末装置は該第１ネットワークノードを介して第２ネットワークノードと情報伝送を行う。
【００７０】
ＬＴＥシステムにおいて、共通伝送通路を構築するために、基地局の間に有線接続を確立してもよく、該共通伝送通路は、例えば、ＧＴＰプロトコルベースのＧＴＰトンネルである。本発明の実施例における第１ネットワークノードと第２ネットワークノードとの間に該共通伝送通路を確立することができ、第１ネットワークノードと第２ネットワークノードとの間に確立された共通伝送通路は、２つのネットワークノード間でデータ情報および制御情報を伝送するために用いられ、該共通伝送通路はＧＴＰプロトコルベースのものであり、データ情報の伝送はＧＴＰユーザプレーンプロトコルベースのものである。２つのネットワークノード間の通路が共通であるため、端末装置を識別するための関連情報をＧＴＰユーザプレーンプロトコルに追加し、例えば、後続の情報伝送において端末装置の識別情報を記入するための予約文字をＧＴＰユーザプレーン（すなわち、ＧＴＰ−Ｕ）プロトコルに追加することができる。
【００７１】
Ｓ３２０において、第２ネットワークノードは、共通伝送通路を介して、第１ネットワークノードから送信された上り情報および端末装置の識別情報を受信し、ここで、該上り情報は、非活性状態にある端末装置が第２ネットワークノードのサービス領域から第１ネットワークノードのサービス領域まで移動した後に第１ネットワークノードに送信するものであり、前記第１ネットワークノードは、前記上り情報を送信すると同時に、前記端末装置の識別情報を前記予約文字に記入する。
【００７２】
本発明の実施例において、端末装置が既に第２ネットワークノードのサービス領域から出て第１ネットワークノードのサービス領域に入ったため、端末装置は、上りデータ伝送がある場合、第１ネットワークノードにより端末装置から送信された上り情報（上りデータ／上り制御情報を含む）を受信し、その後、第１ネットワークノードは、該上り情報を第２ネットワークノードに転送することができ、Ｓ３１０において、共通伝送通路のユーザプレーンプロトコルに端末装置を識別するための予約文字を配置したため、第１ネットワークノードは上り情報を送信すると同時に、端末装置の識別情報を予約文字に記入して第２ネットワークノードに送信することができる。
【００７３】
一実施例において、本発明の実施例における端末装置の識別情報は、ＧＴＰ−Ｕプロトコルヘッダに記入されたものであり、すなわち、上記共通伝送通路を確立する際に配置された予約文字に記入されたものであり、例えば、ｒｅｓｕｍｅ  ＩＤ、または分断したｒｅｓｕｍｅ  ＩＤ、または他の形態のＵＥ−ＩＤであってもよく、該ＧＴＰ−Ｕプロトコルヘッダのデータフォーマットは、図５を参照してもよい。第１ネットワークノードは、端末装置の上り情報を受信すると、該端末装置のソースサービス基地局（すなわち、第２ネットワークノード）を知る。しかし、第１ネットワークノードと第２ネットワークノードと間の共通伝送通路（すなわち、ＧＴＰトンネル）が共通であるため、第２ネットワークノードが上り情報をのみ受信すれば、該上り情報がどの端末装置から送信されたかを知らなくなり、そのため、第１ネットワークノードは、上り情報を送信すると同時に、第２ネットワークノードが該上り情報を正確に復号することを指示するように設置される端末装置の識別情報を担持する。
【００７４】
Ｓ３３０において、第２ネットワークノードは、該端末装置の識別情報に基づいて上り情報を解析し、解析結果を取得する。
【００７５】
Ｓ３４０において、第２ネットワークノードは、該解析結果を、共通伝送通路を介して、第１ネットワークノードに送信する。
【００７６】
本発明の実施例において、第２ネットワークノード（端末装置のソースサービス基地局）は端末装置のコンテキスト情報があり、且つ、第１ネットワークノードがそれに上り情報を送信すると同時に端末装置の識別情報が担持されているため、第２ネットワークノードは、端末装置から送信された上り情報を正確にデータ解析することができ、解析結果を取得した後、更に第１ネットワークノードとの共通伝送通路を介して、該解析結果を第１ネットワークノード（端末装置が上りデータを送信する基地局）に送信することができ、第１ネットワークノードが端末装置から送信された上り情報を受信すると、端末装置の上り情報の伝送タスクを完成する。
【００７７】
本発明の実施例に係る情報伝送方法と関連技術との区別は主に以下のとおりである。関連技術におけるＬＴＥシステム内の非活性状態の端末装置は、ソース基地局から出た後に上り情報伝送を行う形態において、ターゲット基地局がソース基地局へ端末装置のコンテキスト等の関連情報を要求し、このプロセスは時間がかかり、大きなネットワーク遅延をもたらす。これに対し、本発明の実施例に係る情報伝送方法はＬＴＥ  Ｒ１４の標準化プロセス中の軽接続状態および５Ｇシステム内の非活性状態の端末装置に対するものであり、端末装置の上り情報が到達する時、第１ネットワークノード（すなわち、ターゲット基地局）は該上り情報を受信すると、該上り情報を第２ネットワークノード（すなわち、ソース基地局）に送信し、第１ネットワークノードと第２ネットワークノードとの間に確立された共通伝送通路を介して、送信する。該共通伝送通路のユーザプレーンプロトコルに端末装置を識別するための予約文字が配置されたため、第１ネットワークノードは、上り情報を受信する際に、端末装置の識別情報を該予約文字に記入することができ、すなわち、該端末装置の識別情報を同時に送信し、このように、第２ネットワークノードは、上り情報を受信すると、該上り情報を送信した端末装置を知ることができ、正確な形態で該上り情報を解析した後、第１ネットワークノードに解析結果をフィードバックする。本発明の実施例に係る情報伝送方法は、第１ネットワークノードが第２ネットワークノードへ端末装置のコンテキスト情報を要求するプロセスを省略し、シグナリングオーバーヘッドを節約し、データ解析によるネットワーク遅延の低減に寄与する。
【００７８】
本発明の実施例に係る情報伝送方法は、第１ネットワークノードと第２ネットワークノードとの間に確立された共通伝送通路、および該共通伝送通路のユーザプレーンプロトコルに配置された、端末装置を識別するための予約文字により、第２ネットワークノードは、該共通伝送通路を介して、第１ネットワークノードから送信された上り情報および該端末装置の識別情報を受信することができ、ここで、該上り情報は、非活性状態または軽接続状態にある端末装置が第２ネットワークノードのサービス領域から出た後に第１ネットワークノードに送信するものである。その後、第２ネットワークノードは、端末装置の識別情報に基づいて上り情報を解析し、且つ、得られた解析結果を、共通伝送通路を介して、第１ネットワークノードに送信することができる。本発明の実施例に係る方法は、非活性状態の端末装置がソース基地局のサービス領域からターゲット基地局のサービス領域まで移動した後に上り情報伝送を行うプロセスにおいて、ターゲット基地局がソース基地局へ端末装置のコンテキスト情報を要求することに起因して情報伝送のネットワーク遅延が大きくなるという問題を解決する。
【００７９】
本発明の実施例に係る情報伝送方法は、従来の一体化基地局に適用されるだけでなく、ＣＵ−ＤＵネットワークアーキテクチャにも同様に適用され得る。
【００８０】
一体化基地局の使用シーンにおいて、第１ネットワークノードは端末装置のターゲット基地局であり、第２ネットワークノードは前記端末装置のソース基地局であり、該使用シーンにおける実現形態は、上記実施例で既に詳細に説明されたため、ここでは省略する。
【００８１】
ＣＵ−ＤＵネットワークアーキテクチャの使用シーンにおいて、図６に示すＣ−ＲＡＮアーキテクチャを参照してもよく、Ｃ−ＲＡＮアーキテクチャの構造および配置形態は、上記実施例で既に詳細に説明されたため、ここでは省略する。該使用シーンにおいて、第１ネットワークノードは、ＣＵ−ＤＵネットワークアーキテクチャにおける端末装置のターゲットＤＵおよびＣＵであり、第２ネットワークノードは、ＣＵ−ＤＵネットワークアーキテクチャにおける端末装置のソースＤＵおよびＣＵである。
【００８２】
図７に示すＣＵ−ＤＵ分離ネットワークアーキテクチャを参照し、非活性状態の技術において、上りまたは下りデータの送信について、ＭＡＣ層およびＰＨＹ層は一般的にデフォルトの配置を採用するため、本発明の実施例において、ＲＬＣ層、ＰＤＣＰ層等をどのように処理するかを考える。本発明の実施例は、ＲＬＣ層をソースＤＵに保留する態様を例として、ＣＵ−ＤＵ分離ネットワークアーキテクチャで端末装置およびネットワークデバイスが認証を行う方法について説明し、本発明の実施例に係る情報伝送方法をＣＵ−ＤＵ分離ネットワークアーキテクチャに適用した使用シーンは、図８を参照する（ここで、ＲＬＣが、ソース側、すなわち、ソースＤＵに保留される）。
【００８３】
本発明のインスタンスにおいて、上記Ｓ３２０の実現形態は、以下を含んでもよい。
【００８４】
ソースＤＵのＲＬＣ層は、共通伝送通路を介して、ターゲットＤＵから送信された上り情報および端末装置の識別情報を受信し、ソースＤＵのＲＬＣ層は、上り情報および端末装置の識別情報をＣＵのＰＤＣＰ層に送信する。
【００８５】
ソースＤＵとターゲットＤＵとの間にインタフェースが存在し、且つ、ソースＤＵとターゲットＤＵとの間に、データ／制御シグナリングの伝送を行うための共通伝送通路が存在するため、ターゲットＤＵは、上りメッセージをソースＤＵのＲＬＣ層に送信し、ソースＤＵのＲＬＣ層を介してＣＵのＰＤＣＰ層に送信する。また、ターゲットＤＵとソースＤＵとの間の、非活性状態の端末装置が情報伝送を行うための通路は共通であるため、ＧＴＰ−Ｕの関連プロトコルを拡張し、すなわち、ターゲットＤＵは、ＧＴＰ−Ｕプロトコルヘッダに端末装置の識別情報を追加し、フォーマットは図５に示すデータ構造を参照してもよい。
【００８６】
一実施例において、ＲＬＣ層がソースＤＵに保持され、つまり、ターゲットＤＵからソースＤＵの間のインタフェースに伝送されるデータパケットのフォーマットは、ＭＡＣ  ＳＤＵまたはＲＬＣ  ＰＤＵであるため、本発明の実施例において、ＣＵ−ＤＵネットワークアーキテクチャには、ＧＴＰ−Ｕ  ＳＤＵおよびＲＬＣ  ＰＤＵのインタフェースおよびルールが予め配置されている。
【００８７】
上記Ｓ３３０の実現形態は、ＣＵのＰＤＣＰ層が端末装置の識別情報に基づいて上り情報を解析し、解析結果をソースＤＵに送信し、すなわち、前記ソースＤＵは、前記ＣＵのＰＤＣＰ層から送信された解析結果を受信することであって、前記解析結果は、前記ＣＵのＰＤＣＰ層が前記端末装置の識別情報に基づいて前記上り情報を解析することにより取得されることを含んでもよい。
【００８８】
上記Ｓ３４０の実現形態は、ソースＤＵが解析結果を、共通伝送通路を介して、ターゲットＤＵに送信することを含んでもよい。
【００８９】
ＣＵ−ＤＵネットワークアーキテクチャの使用シーンにおいて、本発明の実施例に係る方法を用いて上り情報伝送を行う場合、ソースＤＵ、ターゲットＤＵ、ＣＵのシグナリングインタラクションの形態は、図９に示すフローチャートを参照してもよく、実現形態は、上記実施例で既に詳細に説明されたため、ここでは省略する。
【００９０】
本発明の実施例がＣＵ−ＤＵネットワークアーキテクチャに適用されるシーンにおいて、ＭＡＣ層以上の関連パラメータおよび配置情報は、依然としてソース側に保留され、ターゲットＤＵおよびソースＤＵの関連パラメータおよび配置情報をアラインメントし、これは、スケジューリングがターゲットＤＵのＭＡＣ層によって実行され、ＭＡＣ層以上の一部のパラメータがスケジューリングに関するためであり、ターゲットＤＵのスケジューリングがパラメータにマッチングすることを確保するために、本発明の実施例に係る方法は、ソースＤＵのＲＬＣ層が該ＲＬＣ層のパラメータ配置情報を、共通伝送通路を介して、ターゲットＤＵに送信することを更に含んでもよい。
【００９１】
図１１は、本発明の実施例に係る情報伝送装置の構造模式図である。本実施例に係る情報伝送装置は、非活性状態または軽接続状態の端末装置がソースサービス基地局から出た後に該ソースサービス基地局と情報伝送を行う場合に適用され、該情報伝送装置はハードウェアとソフトウェアとを組み合わせる形態によって実現され、該装置は第１ネットワークノード（すなわち、ターゲットサービス基地局）のプロセッサに集積されてプロセッサにより呼び出され使用され得る。図１１に示すように、本実施例の情報伝送装置１０は、第１確立モジュール１１と、第１受信モジュール１２と、第１送信モジュール１３とを備えてもよい。
【００９２】
ここで、第１確立モジュール１１は、第２ネットワークノードの間に共通伝送通路を確立するように設置され、ここで、該共通伝送通路のユーザプレーンプロトコルに端末装置を識別するための予約文字が配置されている。
【００９３】
本発明の実施例に係る情報伝送装置は、端末装置とソースサービス基地局との間で情報伝送を行うように設置される。本発明の実施例の使用シーンは、非活性状態または軽接続状態にある端末装置が第２ネットワークノードのサービス領域から出て、且つ第１ネットワークノードのサービス領域まで移動したというシーンである。端末装置の上り情報が第２ネットワークノードに到達し、または第２ネットワークノードの下りデータが端末装置に到達した場合、端末装置との接続が確立されたサービスノードが第１ネットワークノードであるため、端末装置は該第１ネットワークノードを介して第２ネットワークノードと情報伝送を行う。
【００９４】
ＬＴＥシステムにおいて、共通伝送通路を構築するために、基地局の間に有線接続を確立してもよく、例えば、該共通伝送通路は、ＧＴＰプロトコルベースのＧＴＰトンネルである。本発明の実施例における第１確立モジュール１１は、第１ネットワークノードと第２ネットワークノードとの間の該共通伝送通路を確立することができ、第１ネットワークノードと第２ネットワークノードとの間に確立された共通伝送通路が２つのネットワークノード間でデータ情報および制御情報を伝送するように設置されるが、該共通伝送通路はＧＴＰプロトコルベースのものであり、データ情報の伝送はＧＴＰユーザプレーンプロトコルベースのものである。２つのネットワークノード間の通路が共通であるため、端末装置を識別するための関連情報をＧＴＰユーザプレーンプロトコルに追加し、例えば、後続の情報伝送において端末装置の識別情報を記入するための予約文字をＧＴＰ−Ｕプロトコルに追加してもよい。
【００９５】
第１受信モジュール１２は、端末装置から送信された上り情報を受信するように設置され、ここで、該端末装置は、第２ネットワークノードのサービス領域から第１ネットワークノードサービス領域まで移動し、且つ非活性状態にある端末である。
【００９６】
第１送信モジュール１３は、上り情報および端末装置の識別情報を、共通伝送通路を介して、第２ネットワークノードに送信するように設置され、ここで、前記第１ネットワークノードは、前記上り情報を送信すると同時に、前記端末装置の識別情報を前記予約文字に記入する。
【００９７】
本発明の実施例において、端末装置が既に第２ネットワークノードのサービス領域から出て第１ネットワークノードのサービス領域に入ったため、端末装置は、上りデータ伝送がある場合、第１ネットワークノードの第１受信モジュール１２により端末装置から送信された上り情報（上りデータ／上り制御情報を含む）を受信し、第１送信モジュール１３は、該上り情報を第２ネットワークノードに転送することができ、第１確立モジュール１１は、共通伝送通路を確立する際に、既にユーザプレーンプロトコルに端末装置を識別するように設置される予約文字を配置したため、第１送信モジュール１３は上り情報を送信すると同時に、端末装置の識別情報を予約文字に記入して第２ネットワークノードに送信することができる。
【００９８】
一実施例において、本発明の実施例における端末装置の識別情報は、ＧＴＰ−Ｕプロトコルヘッダに記入されたものであり、すなわち、上記共通伝送通路を確立する際に配置された予約文字に記入されたものであり、例えば、ｒｅｓｕｍｅ  ＩＤ、分断したｒｅｓｕｍｅ  ＩＤ、または他の形態の端末装置識別子ＵＥ−ＩＤであってもよい。該ＧＴＰ−Ｕプロトコルヘッダのデータフォーマットは図５を参照してもよい。第１ネットワークノードの第１受信モジュール１２は、端末装置の上り情報を受信すると、該端末装置のソースサービス基地局（すなわち、第２ネットワークノード）を知るが、第１ネットワークノードと第２ネットワークノードとの間の共通伝送通路（すなわち、ＧＴＰトンネル）が共通であるため、第２ネットワークノードが上り情報をのみ受信すれば、該上り情報がどの端末装置から送信されたかを知らなくなり、そのため、第１送信モジュール１３は、上り情報を送信すると同時に、第２ネットワークノードが該上り情報を正確に復号することを指示するための端末装置の識別情報を担持する。
【００９９】
第１受信モジュール１２は、更に、共通伝送通路を介して、第２ネットワークノードが上り情報を解析した後に得られた解析結果を受信するように設置され、ここで、該解析結果は、第２ネットワークノードが端末装置の識別情報に基づいて解析することにより得られるものである。
【０１００】
本実施例において、第２ネットワークノード（端末装置のソースサービス基地局）は端末装置のコンテキスト情報があり、且つ、第１ネットワークノードが第２ネットワークノードに上り情報を送信すると同時に、端末装置の識別情報が担持されているため、第２ネットワークノードは、端末装置から送信された上り情報を正確にデータ解析することができ、解析結果を取得した後、更に第１ネットワークノードとの共通伝送通路を介して、該解析結果を第１ネットワークノード（端末装置が上りデータを送信する基地局）に送信することができ、第１受信モジュール１２が端末装置から送信された上り情報を受信すると、端末装置の上り情報の伝送タスクを完成する。
【０１０１】
本発明の実施例に係る情報伝送装置は、本発明の実施例の図４に示す情報伝送方法を実行し、該当する機能モジュールを備えるように設置され、その実現原理および技術的効果は類似し、ここでは省略する。
【０１０２】
本発明の実施例に係る情報伝送装置は、従来の一体化基地局に適用されるだけでなく、ＣＵ−ＤＵネットワークアーキテクチャにも適用され得る。
【０１０３】
一体化基地局の使用シーンにおいて、第１ネットワークノードは端末装置のターゲット基地局であり、第２ネットワークノードは前記端末装置のソース基地局であり、該使用シーンにおける実現形態は、上記実施例で既に詳細に説明されたため、ここでは省略する。
【０１０４】
ＣＵ−ＤＵネットワークアーキテクチャの使用シーンにおいて、同様に、図６に示すＣ−ＲＡＮアーキテクチャを参照してもよく、Ｃ−ＲＡＮアーキテクチャの構造および配置形態は、上記実施例で既に詳細に説明されたため、ここでは省略する。該使用シーンにおいて、第１ネットワークノードは、ＣＵ−ＤＵネットワークアーキテクチャにおける端末装置のターゲットＤＵおよびＣＵであり、第２ネットワークノードは、ＣＵ−ＤＵネットワークアーキテクチャにおける端末装置のソースＤＵおよびＣＵである。
【０１０５】
図７に示すＣＵ−ＤＵ分離ネットワークアーキテクチャを参照し、非活性状態の技術において、上りまたは下りデータの送信について、ＭＡＣ層およびＰＨＹ層は一般的にデフォルトの配置を採用するため、本発明の実施例において、ＲＬＣ層、ＰＤＣＰ層等をどのように処理するかを考える。本発明の実施例は、ＲＬＣ層をソースＤＵに保留する態様を例として、ＣＵ−ＤＵ分離ネットワークアーキテクチャで端末装置およびネットワークデバイスが認証を行う方法について説明する。本発明の実施例に係る情報伝送装置をＣＵ−ＤＵ分離ネットワークアーキテクチャに適用した使用シーンは、同様に図８を参照してもよい（ここで、ＲＬＣは、ソース側、すなわち、ソースＤＵに保留される）。
【０１０６】
本発明の実施例において、第１送信モジュール１３が、上り情報および端末装置の識別情報を、共通伝送通路を介して、第２ネットワークノードに送信する実現形態は、ターゲットＤＵが上り情報および端末装置の識別情報を、共通伝送通路を介して、ソースＤＵの無線リンク層制御プロトコルＲＬＣ層に送信し、且つソースＤＵのＲＬＣ層を介してＣＵのＰＤＣＰ層に送信するように設置される第１送信モジュール１３を備えてもよい。
【０１０７】
第１受信モジュール１２が共通伝送通路を介して、第２ネットワークノードが上り情報を解析した解析結果を受信する実現形態は、ターゲットＤＵが、共通伝送通路を介して、ソースＤＵから送信された解析結果を受信し、前記解析結果がＣＵのＰＤＣＰ層を介して上り情報を解析して得られ、前記ＣＵのＰＤＣＰ層を介してソースＤＵのＲＬＣ層に送信されるように設置される第１受信モジュール１２を更に備えてもよい。
【０１０８】
本実施例において、ターゲットＤＵとソースＤＵとの間の、非活性状態の端末装置が情報伝送を行うための通路は共通であるため、ＧＴＰ−Ｕの関連プロトコルを拡張し、すなわち、ターゲットＤＵは、ＧＴＰ−Ｕプロトコルヘッダに端末装置の識別情報を追加し、フォーマットは同様に図５に示すデータ構造を参照してもよい。また、ＲＬＣ層がソースＤＵに保持され、つまり、ターゲットＤＵからソースＤＵの間のインタフェースに伝送されるデータパケットのフォーマットは、ＭＡＣ  ＳＤＵまたはＲＬＣ  ＰＤＵであるため、本発明の実施例において、ＣＵ−ＤＵネットワークアーキテクチャには、ＧＴＰ−Ｕ  ＳＤＵおよびＲＬＣ  ＰＤＵのインタフェースおよびルールが予め配置されている。
【０１０９】
本発明の実施例がＣＵ−ＤＵネットワークアーキテクチャに適用されるシーンにおいて、ＭＡＣ層以上の関連パラメータおよび配置情報は、依然としてソース側に保留され、ターゲットＤＵおよびソースＤＵの関連パラメータおよび配置情報をアラインメントし、これは、スケジューリングがターゲットＤＵのＭＡＣ層によって実行され、ＭＡＣ層以上の一部のパラメータがスケジューリングに関するためであり、ターゲットＤＵのスケジューリングがパラメータにマッチングすることを確保するために、以下の３種類の形態を採用してもよい。
【０１１０】
形態１、第１受信モジュール１２は、更に、ターゲットＤＵが、第１確立モジュール１１により確立された共通伝送通路を介して、ソースＤＵのＲＬＣ層から送信された該ＲＬＣ層のパラメータ配置情報を受信するように設置される。
【０１１１】
形態２、本発明の実施例に係る装置は、
ターゲットＤＵがターゲットＤＵのＲＬＣ層のパラメータ配置情報を設定するように設置される第１設定モジュール１４を更に備えてもよい。
【０１１２】
第１送信モジュール１３は、更に、ターゲットＤＵが、第１設定モジュール１４により設定されたＲＬＣ層のパラメータ配置情報を、共通伝送通路を介して、ソースＤＵのＲＬＣ層に送信し、且つ、該ソースＤＵのＲＬＣ層を介してＣＵに送信するように設置され、第１送信モジュール１３は、更に、該ターゲットＤＵがソースＤＵのＲＬＣ層から送信された確定指示メッセージを受信すると、該ＲＬＣ層のパラメータ配置情報を端末装置に送信するように設置され、ここで、該確定指示メッセージは、ＣＵが該ＲＬＣ層のパラメータ配置情報の使用を確定した後にソースＤＵのＲＬＣ層に送信するメッセージである。
【０１１３】
形態３、第１設定モジュール１４は、ターゲットＤＵがターゲットＤＵのＲＬＣ層のパラメータ配置情報を設定するように設置される。
【０１１４】
第１送信モジュール１３は、更に、ターゲットＤＵが第１設定モジュール１４により設定されたＲＬＣ層のパラメータ配置情報を、ＭＡＣ  ＣＥを介して端末装置に送信するように設置される。
【０１１５】
実際の応用において、本発明の図１１に示す上記実施例における第１受信モジュール１２および第１送信モジュール１３は、第１ネットワークノードのトランシーバにより実現でき、第１確立モジュール１１および第１設定モジュール１４は、第１ネットワークノードのプロセッサにより実現でき、該プロセッサは、例えば、１つの中央処理装置（Ｃｅｎｔｒａｌ  Ｐｒｏｃｅｓｓｉｎｇ  Ｕｎｉｔ、ＣＰＵ）であってもよく、または特定の集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）であってもよく、または本発明の実施例を実現する１つまたは複数の集積回路であってもよい。
【０１１６】
図１２は、本発明の実施例に係る別の情報伝送装置の構造模式図である。本実施例に係る情報伝送装置は、非活性状態または軽接続状態の端末装置がソースサービス基地局のサービス領域から出た後に該ソースサービス基地局と情報伝送を行う場合に適用され、該情報伝送装置はハードウェアとソフトウェアとを組み合わせる形態によって実現され、該装置は第２ネットワークノード（すなわち、ソースサービス基地局）のプロセッサに集積されてプロセッサにより呼び出され使用され得る。図１２に示すように、本発明の実施例に係る情報伝送装置２０は、第２確立モジュール２１と、第２受信モジュール２２と、解析モジュール２３と、第２送信モジュール２４とを備えてもよい。
【０１１７】
ここで、第２確立モジュール２１は、第１ネットワークノードとの間に共通伝送通路を確立するように設置され、ここで、該共通伝送通路のユーザプレーンプロトコルに端末装置を識別するための予約文字が配置されている。
【０１１８】
本発明の実施例に係る情報伝送装置は、端末装置とソースサービス基地局との間で情報伝送を行うように設置される。本発明の実施例の使用シーンは、非活性状態または軽接続状態にある端末装置が第２ネットワークノードのサービス領域から出て、且つ第１ネットワークノードのサービス領域まで移動したというシーンである。端末装置の上り情報が第２ネットワークノードに到達し、または第２ネットワークノードの下りデータが端末装置に到達した場合、端末装置との接続が確立されたサービスノードが第１ネットワークノードであるため、端末装置は該第１ネットワークノードを介して第２ネットワークノードと情報伝送を行う。
【０１１９】
ＬＴＥシステムにおいて、共通伝送通路を構築するために、基地局の間に有線接続を確立してもよく、該共通伝送通路は、例えば、ＧＴＰプロトコルベースのＧＴＰトンネルである。本発明の実施例における第２確立モジュール２１は、第１ネットワークノードと第２ネットワークノードとの間の共通伝送通路を確立することができ、第１ネットワークノードと第２ネットワークノードとの間に確立された共通伝送通路は、２つのネットワークノード間でデータ情報および制御情報を伝送するように設置され、該共通伝送通路はＧＴＰプロトコルベースのものであり、データ情報の伝送はＧＴＰユーザプレーンプロトコルベースのものである。２つのネットワークノード間の通路が共通であるため、端末装置を識別するための関連情報をＧＴＰユーザプレーンプロトコルに追加し、例えば、後続の情報伝送において端末装置の識別情報を記入するための予約文字をＧＴＰ−Ｕプロトコルに追加してもよい。
【０１２０】
第２受信モジュール２２は、第２確立モジュール２１により確立された共通伝送通路を介して、第１ネットワークノードから送信された上り情報および端末装置の識別情報を受信するように設置され、該上り情報は、非活性状態にある端末装置が第２ネットワークノードのサービス領域から第１ネットワークノードのサービス領域まで移動した後に第１ネットワークノードに送信するものである。
【０１２１】
本発明の実施例において、端末装置が既に第２ネットワークノードのサービス領域から出て第１ネットワークノードのサービス領域に入ったため、端末装置は、上りデータ伝送がある場合、第１ネットワークノードにより端末装置から送信された上り情報（上りデータ／上り制御情報を含む）を受信し、その後、第１ネットワークノードは、該上り情報を第２ネットワークノードに転送することができ、第２確立モジュール２１が共通伝送通路を確立する際に既にユーザプレーンプロトコルに端末装置を識別するための予約文字を配置したため、第１ネットワークノードは上り情報を送信すると同時に、端末装置の識別情報を予約文字に記入して第２ネットワークノードに送信することができ、そのため、第２受信モジュール２２は上り情報および端末装置の識別情報を受信する。
【０１２２】
解析モジュール２３は、第２ネットワークノードが、第２受信モジュール２２により受信された該端末装置の識別情報に基づいて上り情報を解析し、解析結果を取得するように設置される。
【０１２３】
第２送信モジュール２４は、解析モジュール２３により取得された該解析結果を、第２確立モジュール２１により確立された共通伝送通路を介して、第１ネットワークノードに送信するように設置される。
【０１２４】
本発明の実施例において、第２ネットワークノード（端末装置のソースサービス基地局）は端末装置のコンテキスト情報があり、且つ、第１ネットワークノードがそれに上り情報を送信すると同時に、端末装置の識別情報が担持されているため、第２ネットワークノードの解析モジュール２３は、端末装置から送信された上り情報を正確にデータ解析することができ、解析結果を取得した後、第２送信モジュール２４は、第１ネットワークノードとの共通伝送通路を介して、該解析結果を第１ネットワークノード（端末装置が上りデータを送信する基地局）に送信することができ、第１ネットワークノードが端末装置から送信された上り情報を受信すると、端末装置の上り情報の伝送タスクを完成する。
【０１２５】
本発明の実施例に係る情報伝送装置は、本発明の実施例の図１０に示す情報伝送方法を実行し、該当する機能モジュールを備えるように設置され、その実現原理および技術的効果は類似し、ここでは省略する。
【０１２６】
本発明の実施例に係る情報伝送装置は、従来の一体化基地局に適用されるだけでなく、ＣＵ−ＤＵネットワークアーキテクチャにも適用され得る。
【０１２７】
一体化基地局の使用シーンにおいて、第１ネットワークノードは端末装置のターゲット基地局であり、第２ネットワークノードは前記端末装置のソース基地局であり、該使用シーンにおける実現形態は、上記実施例で既に詳細に説明されたため、ここでは省略する。
【０１２８】
ＣＵ−ＤＵネットワークアーキテクチャの使用シーンにおいて、同様に、図６に示すＣ−ＲＡＮアーキテクチャを参照してもよく、Ｃ−ＲＡＮアーキテクチャの構造および配置形態は、上記実施例で既に詳細に説明されたため、ここでは省略する。該使用シーンにおいて、第１ネットワークノードは、ＣＵ−ＤＵネットワークアーキテクチャにおける端末装置のターゲットＤＵおよびＣＵであり、第２ネットワークノードは、ＣＵ−ＤＵネットワークアーキテクチャにおける端末装置のソースＤＵおよびＣＵである。
【０１２９】
図７に示すＣＵ−ＤＵ分離ネットワークアーキテクチャを参照し、非活性状態の技術において、上りまたは下りデータの送信について、ＭＡＣ層およびＰＨＹ層は一般的にデフォルトの配置を採用するため、本発明の実施例において、ＲＬＣ層、ＰＤＣＰ層等をどのように処理するかを考える。本発明の実施例は、ＲＬＣ層をソースＤＵに保留する態様を例として、ＣＵ−ＤＵ分離ネットワークアーキテクチャで端末装置およびネットワークデバイスが認証を行う方法について説明し、本発明の実施例に係る情報伝送装置をＣＵ−ＤＵ分離ネットワークアーキテクチャに適用した使用シーンは、同様に図８を参照してもよい（ここで、ＲＬＣは、ソース側、すなわち、ソースＤＵに保留される）。
【０１３０】
本発明の実施例において、第２ネットワークノードが共通伝送通路を介して、第１ネットワークノードから送信された上り情報および端末装置の識別情報を受信する実現形態は、以下を備えてもよい。
【０１３１】
第２受信モジュール２２は、ソースＤＵのＲＬＣ層が、共通伝送通路を介して、ターゲットＤＵから送信された上り情報および端末装置の識別情報を受信するように設置される。
【０１３２】
第２送信モジュール２４は、ソースＤＵのＲＬＣ層が上り情報および端末装置の識別情報をＣＵのＰＤＣＰ層に送信するように設置される。
【０１３３】
本実施例において、ターゲットＤＵとソースＤＵとの間の、非活性状態の端末装置が情報伝送を行うための通路は共通であるため、ＧＴＰ−Ｕの関連プロトコルを拡張し、すなわち、ターゲットＤＵは、ＧＴＰ−Ｕプロトコルヘッダに端末装置の識別情報を追加し、図５に示すデータ構造を参照してもよい。また、ＲＬＣ層がソースＤＵに保持され、つまり、ターゲットＤＵからソースＤＵの間のインタフェースに伝送されるデータパケットのフォーマットは、ＭＡＣ  ＳＤＵまたはＲＬＣ  ＰＤＵであるため、本発明の実施例において、ＣＵ−ＤＵネットワークアーキテクチャには、ＧＴＰ−Ｕ  ＳＤＵおよびＲＬＣ  ＰＤＵのインタフェースおよびルールが予め配置されている。
【０１３４】
解析モジュール２３が端末装置の識別情報に基づいて上り情報を解析する実現形態は、ＣＵのＰＤＣＰ層が端末装置の識別情報に基づいて上り情報を解析し、解析結果をソースＤＵに送信するように設置される解析モジュール２３を備えてもよい。
【０１３５】
第２送信モジュール２４が解析結果を、共通伝送通路を介して、第１ネットワークノードに送信する実現形態は、更にソースＤＵが解析結果を、共通伝送通路を介して、ターゲットＤＵに送信するように設置される第２送信モジュール２４を備えてもよい。
【０１３６】
本発明の実施例がＣＵ−ＤＵネットワークアーキテクチャに適用されるシーンにおいて、ＭＡＣ層以上の関連パラメータおよび配置情報は、依然としてソース側に保留され、ターゲットＤＵおよびソースＤＵの関連パラメータおよび配置情報をアラインメントし、これは、スケジューリングがターゲットＤＵのＭＡＣ層によって実行され、ＭＡＣ層以上の一部のパラメータがスケジューリングに関するためであり、ターゲットＤＵのスケジューリングがパラメータにマッチングすることを確保するために、本発明の実施例に係る装置において、第２送信モジュール２４は、更に、ソースＤＵのＲＬＣ層が該ＲＬＣ層のパラメータ配置情報を、第２確立モジュール２１により確立された共通伝送通路を介して、前記ターゲットＤＵに送信するように設置される。
【０１３７】
実際の応用において、本発明の図１２に示す上記実施例における第２受信モジュール２２および第２送信モジュール２４は、第２ネットワークノードのトランシーバにより実現でき、第２確立モジュール２１および解析モジュール２３は、第２ネットワークノードのプロセッサにより実現でき、該プロセッサは、例えば、１つのＣＰＵであってもよく、ＡＳＩＣであってもよく、または本発明の実施例を実現する１つまたは複数の集積回路であってもよい。
【０１３８】
上記実施例で説明された情報伝送方法および装置は、非活性状態または軽接続状態にあり、且つソースサーバ基地局のサービス領域からターゲットサーバ基地局のサービス領域まで移動した端末装置から上り情報を送信する実現形態であり、以下、非活性状態または軽接続状態にあり、且つ第２ネットワークノードから出た端末装置が、ソースサーバ基地局から送信された下り情報を受信する実現形態について説明する。
【０１３９】
図１３は、本発明の実施例に係る他の情報伝送方法のフローチャートである。本実施例に係る情報伝送方法は、非活性状態または軽接続状態の端末装置がソースサービス基地局から出た後に該ソースサービス基地局と情報伝送を行う場合に適用され、該方法は情報伝送装置によって実行でき、該情報伝送装置はハードウェアとソフトウェアとを組み合わせる形態によって実現され、該装置は第１ネットワークノード（すなわち、ターゲットサービス基地局）のプロセッサに集積されてプロセッサにより呼び出され使用され得る。図１３に示すように、本実施例の方法は、以下のようなステップを含んでもよい。
【０１４０】
Ｓ４１０において、第１ネットワークノードと第２ネットワークノードとの間に共通伝送通路を確立し、ここで、該共通伝送通路のユーザプレーンプロトコルに端末装置を識別するための予約文字が配置されている。
【０１４１】
本発明の実施例に係る情報伝送方法は、端末装置とソースサービス基地局との間で情報伝送を行う形態である。本発明の実施例の使用シーンは、非活性状態または軽接続状態にある端末装置が第２ネットワークノードのサービス領域から出て、且つ第１ネットワークノードのサービス領域まで移動したというシーンである。端末装置の上り情報が第２ネットワークノードに到達し、または第２ネットワークノードの下りデータが端末装置に到達した場合、端末装置との接続が確立されたサービスノードが第１ネットワークノードであるため、端末装置は該第１ネットワークノードを介して第２ネットワークノードと情報伝送を行う。
【０１４２】
ＬＴＥシステムにおいて、共通伝送通路を構築するために、基地局の間に有線接続を確立してもよく、例えば、該共通伝送通路は、ＧＰＲＳプロトコルベースのＧＴＰトンネルである。本発明の実施例における第１ネットワークノードと第２ネットワークノードとの間に該共通伝送通路を確立することができ、第１ネットワークノードと第２ネットワークノードとの間に確立された共通伝送通路は、２つのネットワークノード間でデータ情報および制御情報を伝送するように設置され、該共通伝送通路はＧＴＰプロトコルベースのものであり、データ情報の伝送はＧＴＰユーザプレーンプロトコルベースのものである。２つのネットワークノード間の通路が共通であるため、端末装置を識別するための関連情報をＧＴＰユーザプレーンプロトコルに追加し、例えば、後続の情報伝送において端末装置の識別情報を記入するための予約文字をＧＴＰユーザプレーン（すなわち、ＧＴＰ−Ｕ）プロトコルに追加してもよい。
【０１４３】
Ｓ４２０において、第１ネットワークノードは、共通伝送通路を介して、第２ネットワークノードから送信された、端末装置に送信しようとする下り情報および該端末装置の識別情報を受信し、ここで、該端末装置は、非活性状態にあり、且つ第２ネットワークノードのサービス領域から第１ネットワークノードのサービス領域まで移動する端末であり、前記第２ネットワークノードは、前記下り情報を前記第１ネットワークノードに送信すると同時に、前記端末装置の識別情報を前記予約文字に記入する。
【０１４４】
Ｓ４３０において、第１ネットワークノードは、端末装置の識別情報に基づき、下り情報を前記端末装置の識別情報にマッチングする端末装置に送信する。
【０１４５】
本発明の実施例において、端末装置が既に第２ネットワークノードのサービス領域から出て第１ネットワークノードのサービス領域に入ったため、第２ネットワークノードは、下りデータ伝送がある場合、下り情報（下りデータ／下り制御情報を含む）を端末装置との接続が確立された第１ネットワークノードに送信すると同時に、該第１ネットワークノードに端末装置の識別情報を送信し、第１ネットワークノードは端末装置の識別情報に基づいて該下り情報を指定された端末装置に転送することができ、Ｓ４１０において、共通伝送通路のユーザプレーンプロトコルに端末装置を識別するための予約文字を配置したため、第２ネットワークノードは下り情報を送信すると同時に、端末装置の識別情報を予約文字に記入して第１ネットワークノードに送信することができる。
【０１４６】
本発明の実施例において、端末装置の識別情報は、ＧＴＰ−Ｕプロトコルヘッダに記入されたものであり、すなわち、上記共通伝送通路を確立する際に配置された予約文字に記入されたものであり、例えば、ｒｅｓｕｍｅ  ＩＤ、分断したｒｅｓｕｍｅ  ＩＤ、または他の形態の端末装置識別子ＵＥ−ＩＤであってもよく、該ＧＴＰ−Ｕプロトコルヘッダのデータフォーマットは、図５を参照してもよい。第１ネットワークノードは、第２ネットワークノードから送信された下り情報を受信すると、該下り情報のターゲット端末装置を知るが、第１ネットワークノードと第２ネットワークノードとの間の共通伝送通路（すなわち、ＧＴＰトンネル）が共通であるため、第１ネットワークノードが下り情報をのみ受信すれば、該下り情報をどの端末装置に送信するかを知らなくなり、そのため、第２ネットワークノードは、下り情報を送信すると同時に、第１ネットワークノードが該下り情報を正確な端末装置に転送することを指示するように設置される端末装置の識別情報を担持する。
【０１４７】
本発明の実施例に係る情報伝送方法は、下り送信に適用される場合、同様に、ＬＴＥ  Ｒ１４の標準化プロセス中の軽接続状態および５Ｇシステム内の非活性状態の端末装置に対するものであり、ソース基地局（すなわち、第２ネットワークノード）の下り情報を伝送する時、該下りデータを、端末装置との接続が確立された第１ネットワークノード（すなわち、ターゲット基地局）に送信し、第１ネットワークノードと第２ネットワークノードとの間に確立された共通伝送通路を介して、送信し、該共通伝送通路のユーザプレーンプロトコルに端末装置を識別するための予約文字が配置されたため、第２ネットワークノードは、下り情報を送信する際に、端末装置の識別情報を該予約文字に記入することができ、すなわち、該端末装置の識別情報を同時に送信し、このように、第１ネットワークノードは、下り情報を受信すると、該下り情報をどの端末装置に送信するかを知り、該下り情報を正確に送信することができる。
【０１４８】
本発明の実施例に係る情報伝送方法は、第１ネットワークノードと第２ネットワークノードとの間に確立された共通伝送通路、および該共通伝送通路のユーザプレーンプロトコルに配置された、端末装置を識別するための予約文字により、第２ネットワークノードは、該第２ネットワークノードサービス領域から出た端末装置に対して下り情報を有した後、該下り情報および該端末装置の識別情報を、共通伝送通路を介して、共に端末装置のターゲットサービス基地局（すなわち、第１ネットワークノード）に送信することができ、第１ネットワークノードは、該端末装置の識別情報に基づいて指定された端末装置に下り情報を送信することができる。本発明の実施例に係る方法は、基地局間に確立された共通伝送通路およびユーザプレーンプロトコルの関連配置により、基地局が下り送信を行う場合に適用でき、非活性状態または軽接続状態にある端末装置が下り情報を受信する使用シーンにおいて、高い実用性を有する。
【０１４９】
本発明の実施例に係る情報伝送方法は、従来の一体化基地局に適用されるだけでなく、ＣＵ−ＤＵネットワークアーキテクチャにも適用され得る。
【０１５０】
一体化基地局の使用シーンにおいて、第１ネットワークノードは端末装置のターゲット基地局であり、第２ネットワークノードは前記端末装置のソース基地局であり、該使用シーンにおける実現形態は、上記実施例で既に詳細に説明されたため、ここでは省略する。
【０１５１】
ＣＵ−ＤＵネットワークアーキテクチャの使用シーンにおいて、図６に示すＣ−ＲＡＮアーキテクチャを参照してもよく、Ｃ−ＲＡＮアーキテクチャの構造および配置形態は、上記実施例で既に詳細に説明されたため、ここでは省略する。該使用シーンにおいて、第１ネットワークノードは、ＣＵ−ＤＵネットワークアーキテクチャにおける端末装置のターゲットＤＵおよびＣＵであり、第２ネットワークノードは、ＣＵ−ＤＵネットワークアーキテクチャにおける端末装置のソースＤＵおよびＣＵである。
【０１５２】
図７に示すＣＵ−ＤＵ分離ネットワークアーキテクチャを参照し、非活性状態の技術において、上りまたは下りデータの送信について、ＭＡＣ層およびＰＨＹ層は一般的にデフォルトの配置を採用するため、本発明の実施例において、ＲＬＣ層、ＰＤＣＰ層等をどのように処理するかを考える。本発明の実施例は、ＲＬＣ層をソースＤＵに保留する態様を例として、ＣＵ−ＤＵ分離ネットワークアーキテクチャで端末装置およびネットワークデバイスが認証を行う方法について説明し、本発明の実施例に係る情報伝送方法をＣＵ−ＤＵ分離ネットワークアーキテクチャに適用した使用シーンは、図８を参照する（ここで、ＲＬＣは、ソース側、すなわち、ソースＤＵに保留される）。
【０１５３】
図１４に示すように、本発明の実施例に係る別の情報伝送方法のシグナリングインタラクションのフローチャートである。本発明の実施例に係る方法は、ＣＵ−ＤＵ分離ネットワークアーキテクチャに適用され、ここで、ＰＤＣＰ層はＣＵに位置し、ＲＬＣ層、ＭＡＣ層およびＰＨＹ層はＤＵに位置する。非活性状態の端末装置は、新たなＤＵ（すなわち、ターゲットＤＵ）のサービス領域まで移動した。ソースＤＵとターゲットＤＵとの間にインタフェースが存在し、且つ、ソースＤＵとターゲットＤＵとの間に、非活性状態の端末装置がデータおよび制御情報を伝送するように設置される共通伝送通路（制御シグナリング通路およびユーザプレーンデータ通路を含む）が確立される。非活性状態の端末装置は、端末装置が非活性状態で下りデータの受信をサポートするように、ソースＤＵおよびターゲットＤＵにいずれもデフォルトのＭＡＣ層およびＰＨＹ層が配置され、ソースＤＵに、端末装置のＲＬＣに関するパラメータおよび配置が保留される。本発明の上記実施例に係る方法は、ＬＴＥシステム内の４ステップのランダムアクセスプロセスを例として、非活性状態の端末装置がソースＤＵから出て且つ下りデータ伝送がある場合、該端末装置が下り伝送を行う形態について説明し、以下のようなステップを含んでもよい。
【０１５４】
Ｓ５０１において、ＣＵのＰＤＣＰ層は、ネットワーク認証情報をソースＤＵに送信し、ここで、ネットワーク認証情報は、例えば、ｓｈｏｒｔ／ｆｕｌｌ  ＭＡＣ−Ｉ、セキュリティアルゴリズム配置情報、およびＮＣＣ等を含み、該ネットワーク認証情報は、例えば、データパケットの形態で送信され、例えば、ＰＤＣＰプロトコルデータユニット（Ｐｒｏｔｏｃｏｌ  Ｄａｔａ  Ｕｎｉｔ、ＰＤＵ）である。
【０１５５】
Ｓ５０２において、ソースＤＵは、共通伝送通路を介して、ターゲットＤＵに、端末装置のｒｅｓｕｍｅ  ＩＤが担持されたネットワーク認証情報を送信する。
【０１５６】
Ｓ５０３において、ターゲットＤＵは、端末装置へネットワーク認証情報を含むページングメッセージを送信し、ここで、該ネットワーク認証情報は、端末装置がネットワークデバイスを認証することによりコンテンションを解決するために用いられる。
【０１５７】
Ｓ５０４において、端末装置は、ネットワーク認証情報に基づいてＣＵのＰＤＣＰ層を認証する。
【０１５８】
Ｓ５０５において、ターゲットＤＵは、端末装置から送信されたランダムアクセス要求メッセージを受信する。
【０１５９】
ここで、ランダムアクセス要求メッセージは、主に指定されたリソースによりランダムアクセスプリアンブル（ｐｒｅａｍｂｌｅ）を送信し、指定されたリソースは、固有リソースまたは共通リソースプール内のリソースであってもよい。
【０１６０】
Ｓ５０６において、ターゲットＤＵは、ランダムアクセス応答メッセージを端末装置に送信する。
【０１６１】
Ｓ５０７において、ターゲットＤＵは、端末装置から送信された端末認証情報を受信する。
【０１６２】
Ｓ５０８において、ターゲットＤＵは、端末認証情報を、ＧＴＰトンネルを介してソースＤＵのＲＬＣ層に送信する。
【０１６３】
Ｓ５０９において、ソースＤＵのＲＬＣ層は、端末認証情報をＣＵのＰＤＣＰ層に送信する。
【０１６４】
ここで、ソースＤＵとターゲットＤＵとの間にインタフェースが存在し、且つ、ソースＤＵとターゲットＤＵとの間でデータ／制御シグナリングの伝送を行うように設置される共通伝送通路が存在するため、ターゲットＤＵは、端末認証情報をソースＤＵのＲＬＣ層に送信し、ソースＤＵのＲＬＣ層を介してＣＵのＰＤＣＰ層に送信することができる。また、ターゲットＤＵとソースＤＵとの間の、非活性状態の端末装置が情報伝送を行うように設置される通路は共通であるため、ＧＴＰ−Ｕの関連プロトコルを拡張し、すなわち、ターゲットＤＵは、ＧＴＰ−Ｕプロトコルヘッダに端末装置の識別情報を追加し、フォーマットは図５に示すデータ構造を参照してもよい。
【０１６５】
一実施例において、ＲＬＣ層がソースＤＵに保持され、つまり、ターゲットＤＵからソースＤＵの間のインタフェースに伝送されるデータパケットのフォーマットは、ＭＡＣ層のサービスデータユニット（Ｓｅｒｖｉｃｅ  Ｄａｔａ  Ｕｎｉｔ、ＳＤＵ）（すなわち、ＭＡＣ  ＳＤＵ）またはＲＬＣ層のＰＤＵ（すなわち、ＲＬＣ  ＰＤＵ）であるため、本発明の実施例において、ＣＵ−ＤＵネットワークアーキテクチャには、ＧＴＰ−Ｕ  ＳＤＵおよびＲＬＣ  ＰＤＵのインタフェースおよびルールが予め配置されている。
【０１６６】
Ｓ５１０において、ＣＵのＰＤＣＰ層は、端末認証情報に基づいて端末装置を認証する。
【０１６７】
Ｓ５１１において、ＣＵのＰＤＣＰ層は、ソースＤＵのＲＬＣ層に下り情報および初期識別情報を送信し、該初期識別情報は、下り情報のターゲット端末を指示するように設置され、ここで、データパケットのフォーマットは、例えば、パケットデータ収束プロトコルプロトコルデータユニットＰＤＣＰ  ＰＤＵである。
【０１６８】
Ｓ５１２において、ターゲットＤＵは、ＧＴＰトンネルを介してソースＤＵのＲＬＣ層から送信された下り情報および端末装置の識別情報を受信し、ここで、該端末装置の識別情報は、ソースＤＵが初期識別情報を処理することにより得られるものである。
【０１６９】
Ｓ５１３において、ターゲットＤＵは、端末装置の識別情報に基づいて指定された端末装置に下り情報を送信する。
【０１７０】
本発明の実施例がＣＵ−ＤＵネットワークアーキテクチャに適用されるシーンにおいて、ＭＡＣ層以上の関連パラメータおよび配置情報は、依然としてソース側に保留され、ターゲットＤＵおよびソースＤＵの関連パラメータおよび配置情報をアラインメントし、これは、スケジューリングがターゲットＤＵのＭＡＣ層によって実行され、ＭＡＣ層以上の一部のパラメータがスケジューリングに関するためであり、ターゲットＤＵのスケジューリングがパラメータにマッチングすることを確保するために、以下の３種類の形態を採用してもよい。
【０１７１】
形態１、ターゲットＤＵは、共通伝送通路を介して、ソースＤＵのＲＬＣ層から送信された該ＲＬＣ層のパラメータ配置情報を受信する。
【０１７２】
形態２、ターゲットＤＵはターゲットＤＵのＲＬＣ層のパラメータ配置情報を設定し、該ターゲットＤＵのＲＬＣ層のパラメータ配置情報を、共通伝送通路を介して、ソースＤＵのＲＬＣ層に送信し、且つ、該ソースＤＵのＲＬＣ層を介してＣＵに送信し、該ターゲットＤＵがソースＤＵのＲＬＣ層から送信された確定指示メッセージを受信すると、該ＲＬＣ層のパラメータ配置情報を端末装置に送信し、ここで、該確定指示メッセージは、ＣＵ層が該ＲＬＣ層のパラメータ配置情報の使用を確定した後にソースＤＵのＲＬＣ層に送信するメッセージである。
【０１７３】
形態３、ターゲットＤＵはターゲットＤＵのＲＬＣ層のパラメータ配置情報を設定し、該ターゲットＤＵのＲＬＣ層のパラメータ配置情報をＭＡＣ  ＣＥを介して端末装置に送信する。
【０１７４】
図１５は、本発明の実施例に係る更なる情報伝送方法のフローチャートである。本実施例に係る情報伝送方法は、非活性状態または軽接続状態の端末装置がソースサービス基地局のサービス領域から出た後に該ソースサービス基地局と情報伝送を行う場合に適用され、該方法は情報伝送装置によって実行でき、該情報伝送装置はハードウェアとソフトウェアとを組み合わせる形態によって実現され、該装置は第２ネットワークノード（すなわち、ソースサービス基地局）のプロセッサに集積されてプロセッサにより呼び出され使用され得る。図１５に示すように、本実施例の方法は、以下のようなステップを含んでもよい。
【０１７５】
Ｓ６１０において、第２ネットワークノードと第１ネットワークノードとの間に共通伝送通路を確立し、ここで、該共通伝送通路のユーザプレーンプロトコルに端末装置を識別するための予約文字が配置されている。
【０１７６】
本発明の実施例に係る情報伝送方法は、端末装置とソースサービス基地局との間で情報伝送を行う形態である。本発明の実施例の使用シーンは、非活性状態または軽接続状態にある端末装置が第２ネットワークノードのサービス領域から出て、且つ第１ネットワークノードのサービス領域まで移動したというシーンである。端末装置の上り情報が第２ネットワークノードに到達し、または第２ネットワークノードの下りデータが端末装置に到達した場合、端末装置との接続が確立されたサービスノードが第１ネットワークノードであるため、端末装置は該第１ネットワークノードを介して第２ネットワークノードと情報伝送を行う。
【０１７７】
ＬＴＥシステムにおいて、共通伝送通路を構築するために、基地局の間に有線接続を確立してもよく、該共通伝送通路は、例えば、ＧＴＰプロトコルベースのＧＴＰトンネルである。本発明の実施例における第１ネットワークノードと第２ネットワークノードとの間に該共通伝送通路を確立することができ、第１ネットワークノードと第２ネットワークノードとの間に確立された共通伝送通路は、２つのネットワークノード間でデータ情報および制御情報を伝送するために用いられ、該共通伝送通路はＧＴＰプロトコルベースのものであり、データ情報の伝送はＧＴＰユーザプレーンプロトコルベースのものである。２つのネットワークノード間の通路が共通であるため、端末装置を識別するための関連情報をＧＴＰユーザプレーンプロトコルに追加し、例えば、後続の情報伝送において端末装置の識別情報を記入するための予約文字をＧＴＰユーザプレーン（すなわち、ＧＴＰ−Ｕ）プロトコルに追加することができる。
【０１７８】
Ｓ６２０において、第２ネットワークノードは、端末装置に送信しようとする下り情報および該端末装置の識別情報を、共通伝送通路を介して、第１ネットワークノードに送信し、ここで、該端末装置は、非活性状態にあり、且つ該第２ネットワークノードのサービス領域から第１ネットワークノードのサービス領域まで移動する端末であり、前記第２ネットワークノードは、前記下り情報を前記第１ネットワークノードに送信すると同時に、前記端末装置の識別情報を前記予約文字に記入する。
【０１７９】
本発明の実施例において、端末装置が既に第２ネットワークノードのサービス領域から出て第１ネットワークノードのサービス領域に入ったため、第２ネットワークノードは、下りデータ伝送がある場合、下り情報（下りデータ／下り制御情報を含む）を端末装置との接続が確立された第１ネットワークノードに送信すると同時に、該第１ネットワークノードに端末装置の識別情報を送信し、第１ネットワークノードは、端末装置の識別情報に基づいて該下り情報を指定された端末装置に転送することができ、Ｓ６１０において、共通伝送通路のユーザプレーンプロトコルに端末装置を識別するための予約文字を配置したため、第２ネットワークノードは下り情報を送信すると同時に、端末装置の識別情報を予約文字に記入して第１ネットワークノードに送信することができる。
【０１８０】
端末装置の識別情報は、ＧＴＰ−Ｕプロトコルヘッダに記入されたものであり、すなわち、上記共通伝送通路を確立する際に配置された予約文字に記入されたものであり、例えば、ｒｅｓｕｍｅ  ＩＤ、分断したｒｅｓｕｍｅ  ＩＤ、または他の形態のＵＥ−ＩＤであってもよく、該ＧＴＰ−Ｕプロトコルヘッダのデータフォーマットは、図５を参照してもよい。第１ネットワークノードは、第２ネットワークノードから送信された下り情報を受信すると、該下り情報のターゲット端末装置を知るが、第１ネットワークノードと第２ネットワークノードとの間の共通伝送通路（すなわち、ＧＴＰトンネル）が共通であるため、第１ネットワークノードが下り情報をのみ受信すれば、該下り情報がどの端末装置に送信するかを知らなくなり、そのため、第２ネットワークノードは、下り情報を送信すると同時に、第１ネットワークノードが該下り情報を正確な端末装置に転送することを指示するように設置される端末装置の識別情報を担持する。
【０１８１】
本発明の実施例に係る情報伝送方法が下り送信に適用される場合、同様に、ＬＴＥ  Ｒ１４の標準化プロセス中の軽接続状態および５Ｇシステム内の非活性状態の端末装置に対するものであり、ソース基地局（すなわち、第２ネットワークノード）の下り情報が到達する時、該下りデータを、端末装置との接続が確立された第１ネットワークノード（すなわち、ターゲット基地局）に送信し、第１ネットワークノードと第２ネットワークノードとの間に確立された共通伝送通路を介して、送信し、該共通伝送通路のユーザプレーンプロトコルに端末装置を識別するための予約文字が配置されたため、第２ネットワークノードは、下り情報を送信する際に、端末装置の識別情報を該予約文字に記入することができ、すなわち、該端末装置の識別情報を同時に送信し、このように、第１ネットワークノードは、下り情報を受信すると、該下り情報をどの端末装置に送信するかを知り、該下り情報を正確に送信することができる。
【０１８２】
本発明の実施例に係る情報伝送方法、第１ネットワークノードと第２ネットワークノードとの間に確立された共通伝送通路、および該共通伝送通路のユーザプレーンプロトコルに配置された、端末装置を識別するための予約文字により、第２ネットワークノードは、該第２ネットワークノードサービス領域から出た端末装置に対して下り情報を有した後、該下り情報および該端末装置の識別情報を、共通伝送通路を介して、共に端末装置のターゲットサービス基地局（すなわち、第１ネットワークノード）に送信することができ、第１ネットワークノードは、該端末装置の識別情報に基づいて指定された端末装置に下り情報を送信することができる。本発明の実施例に係る方法は、基地局間に確立された共通伝送通路およびユーザプレーンプロトコルの関連配置により、同様に基地局が下り送信を行う場合に適用でき、非活性状態または軽接続状態にある端末装置が下り情報を受信する使用シーンにおいて、高い実用性を有する。
【０１８３】
本発明の実施例に係る情報伝送方法は、従来の一体化基地局に適用されるだけでなく、ＣＵ−ＤＵネットワークアーキテクチャにも適用され得る。
【０１８４】
一体化基地局の使用シーンにおいて、第１ネットワークノードは端末装置のターゲット基地局であり、第２ネットワークノードは前記端末装置のソース基地局であり、該使用シーンにおける実現形態は、上記実施例で既に詳細に説明されたため、ここでは省略する。
【０１８５】
ＣＵ−ＤＵネットワークアーキテクチャの使用シーンにおいて、図６に示すＣ−ＲＡＮアーキテクチャを参照してもよく、Ｃ−ＲＡＮアーキテクチャの構造および配置形態は、上記実施例で既に詳細に説明されたため、ここでは省略する。該使用シーンにおいて、第１ネットワークノードは、ＣＵ−ＤＵネットワークアーキテクチャにおける端末装置のターゲットＤＵおよびＣＵであり、第２ネットワークノードは、ＣＵ−ＤＵネットワークアーキテクチャにおける端末装置のソースＤＵおよびＣＵである。
【０１８６】
図７に示すＣＵ−ＤＵ分離ネットワークアーキテクチャを参照し、非活性状態の技術において、上りまたは下りデータの送信について、ＭＡＣ層およびＰＨＹ層は一般的にデフォルトの配置を採用するため、本発明の実施例において、ＲＬＣ層、ＰＤＣＰ層等をどのように処理するかを考える。本発明の実施例は、ＲＬＣ層をソースＤＵに保留する態様を例として、ＣＵ−ＤＵ分離ネットワークアーキテクチャで端末装置およびネットワークデバイスが認証を行う方法について説明し、本発明の実施例に係る情報伝送方法をＣＵ−ＤＵ分離ネットワークアーキテクチャに適用した使用シーンは、図８を参照する（ここで、ＲＬＣは、ソース側、すなわち、ソースＤＵに保留される）。
【０１８７】
本発明の実施例において、上記Ｓ６２０の実現形態は、
ソースＤＵのＲＬＣ層が、ＣＵのＰＤＣＰ層から送信された下り情報および端末装置の初期識別情報を受信し、該初期識別情報を処理して端末装置の識別情報を取得することと、
ソースＤＵのＲＬＣ層が、下り情報および端末装置の識別情報を、共通伝送通路を介して、ターゲットＤＵに送信することと、
を含んでもよい。
【０１８８】
ターゲットＤＵとソースＤＵとの間の、非活性状態の端末装置が情報伝送を行うための通路は共通であるため、ＧＴＰ−Ｕの関連プロトコルを拡張し、すなわち、ターゲットＤＵは、ＧＴＰ−Ｕプロトコルヘッダに端末装置の識別情報を追加し、フォーマットは図５に示すデータ構造を参照してもよい。
【０１８９】
一実施例において、ＲＬＣ層がソースＤＵに保持され、つまり、ターゲットＤＵからソースＤＵの間のインタフェースに伝送されるデータパケットのフォーマットは、ＭＡＣ  ＳＤＵまたはＲＬＣ  ＰＤＵ）であるため、本発明の実施例において、ＣＵ−ＤＵネットワークアーキテクチャには、ＧＴＰ−Ｕ  ＳＤＵおよびＲＬＣ  ＰＤＵのインタフェースおよびルールが予め配置されている。
【０１９０】
ＣＵ−ＤＵネットワークアーキテクチャの使用シーンにおいて、本発明の実施例に係る方法を用いて下り情報伝送を行う場合、ソースＤＵ、ターゲットＤＵ、ＣＵのシグナリングインタラクションの形態は、図１４に示すフローチャートを参照してもよく、実現形態は、上記実施例で既に詳細に説明されたため、ここでは省略する。
【０１９１】
本発明の実施例がＣＵ−ＤＵネットワークアーキテクチャに適用されるシーンにおいて、ＭＡＣ層以上の関連パラメータおよび配置情報は、依然としてソース側に保留され、ターゲットＤＵおよびソースＤＵの関連パラメータおよび配置情報をアラインメントし、これは、スケジューリングがターゲットＤＵのＭＡＣ層によって実行され、ＭＡＣ層以上の一部のパラメータがスケジューリングに関するためであり、ターゲットＤＵのスケジューリングがパラメータにマッチングすることを確保するために、本発明の実施例に係る方法は、ソースＤＵのＲＬＣ層が該ＲＬＣ層のパラメータ配置情報を、共通伝送通路を介して、ターゲットＤＵに送信することを更に含んでもよい。
【０１９２】
図１６は、本発明の実施例に係る他の情報伝送装置の構造模式図である。本実施例に係る情報伝送装置は、非活性状態または軽接続状態の端末装置がソースサービス基地局から出た後に該ソースサービス基地局と情報伝送を行う場合に適用され、該情報伝送装置はハードウェアとソフトウェアとを組み合わせる形態によって実現され、該装置は第１ネットワークノード（すなわち、ターゲットサービス基地局）のプロセッサに集積されてプロセッサにより呼び出され使用され得る。図１６に示すように、本実施例の情報伝送装置３０は、第３確立モジュール３１と、第３受信モジュール３２と、第３送信モジュール３３とを備えてもよい。
【０１９３】
ここで、第３確立モジュール３１は、第２ネットワークノードの間に共通伝送通路を確立するように設置され、ここで、該共通伝送通路のユーザプレーンプロトコルに端末装置を識別するための予約文字が配置されている。
【０１９４】
本発明の実施例に係る情報伝送装置は、端末装置とソースサービス基地局との間で情報伝送を行うように設置される。本発明の実施例の使用シーンは、非活性状態または軽接続状態にある端末装置が第２ネットワークノードのサービス領域から出て、且つ第１ネットワークノードのサービス領域まで移動したというシーンである。端末装置の上り情報が第２ネットワークノードに到達し、または第２ネットワークノードの下りデータが端末装置に到達した場合、端末装置との接続が確立されたサービスノードが第１ネットワークノードであるため、端末装置は該第１ネットワークノードを介して第２ネットワークノードと情報伝送を行う。
【０１９５】
ＬＴＥシステムにおいて、共通伝送通路を構築するために、基地局の間に有線接続を確立してもよく、該共通伝送通路は、例えば、ＧＴＰプロトコルベースのＧＴＰトンネルである。本発明の実施例における第１確立モジュール１１は、第１ネットワークノードと第２ネットワークノードとの間の該共通伝送通路を確立することができ、第１ネットワークノードと第２ネットワークノードとの間に確立された共通伝送通路が２つのネットワークノード間でデータ情報および制御情報を伝送するために用いられ、該共通伝送通路はＧＴＰプロトコルベースのものであり、データ情報の伝送はＧＴＰユーザプレーンプロトコルベースのものである。２つのネットワークノード間の通路が共通であるため、端末装置を識別するための関連情報をＧＴＰユーザプレーンプロトコルに追加し、例えば、後続の情報伝送において端末装置の識別情報を記入するための予約文字をＧＴＰ−Ｕプロトコルに追加してもよい。
【０１９６】
第３受信モジュール３２は、第３確立モジュール３１により確立された共通伝送通路を介して、第２ネットワークノードから端末装置に送信された下り情報および端末装置の識別情報を受信するように設置され、ここで、該端末装置は、非活性状態または軽接続状態にあり、且つ第２ネットワークノードのサービス領域から第１ネットワークノードのサービス領域まで移動する端末であり、前記第２ネットワークノードは、前記下り情報を前記第１ネットワークノードに送信すると同時に、前記端末装置の識別情報を前記予約文字に記入する。
【０１９７】
第３送信モジュール３３は、第３受信モジュール３２により受信された端末装置の識別情報に基づき、下り情報を前記端末装置の識別情報にマッチングする端末装置に送信するように設置される。
【０１９８】
本発明の実施例において、端末装置が既に第２ネットワークノードのサービス領域から出て第１ネットワークノードのサービス領域に入ったため、第２ネットワークノードは、下りデータが到達した場合、下り情報（下りデータ／下り制御情報を含む）を端末装置との接続が確立された第１ネットワークノードに送信すると同時に、該第１ネットワークノードに端末装置の識別情報を送信し、第１ネットワークノードの第３受信モジュール３２が受信した後、第３送信モジュール３３は、端末装置の識別情報に基づいて該下り情報を指定された端末装置に転送することができ、第３確立モジュール３１が共通伝送通路を確立する際に、既にユーザプレーンプロトコルに端末装置を識別するための予約文字を配置したため、第２ネットワークノードは、下り情報を送信すると同時に、端末装置の識別情報を予約文字に記入して第１ネットワークノードに送信することができる。
【０１９９】
端末装置の識別情報は、ＧＴＰ−Ｕプロトコルヘッダに記入されたものであり、すなわち、上記共通伝送通路を確立する際に配置された予約文字に記入されたものであり、例えば、ｒｅｓｕｍｅ  ＩＤ、分断したｒｅｓｕｍｅ  ＩＤ、または他の形態のＵＥ−ＩＤであってもよく、該ＧＴＰ−Ｕプロトコルヘッダのデータフォーマットは、図５を参照してもよい。第１ネットワークノードの第３受信モジュール３２は、第２ネットワークノードから送信された下り情報を受信すると、該下り情報のターゲット端末装置を知るが、第１ネットワークノードと第２ネットワークノードとの間の共通伝送通路（すなわち、ＧＴＰトンネル）が共通であるため、第３受信モジュール３２が下り情報をのみ受信すれば、該下り情報をどの端末装置に送信するかを知らなくなり、そのため、第２ネットワークノードは、下り情報を送信すると同時に、第１ネットワークノードが該下り情報を正確な端末装置に転送することを指示するように設置される端末装置の識別情報を担持する。
【０２００】
本実施例に係る情報伝送装置は、本発明の実施例図１３に示す情報伝送方法を実行し、該当する機能モジュールを備えるように設置され、その実現原理および技術的効果は類似し、ここでは省略する。
【０２０１】
本発明の実施例に係る情報伝送装置は、従来の一体化基地局に適用されるだけでなく、ＣＵ−ＤＵネットワークアーキテクチャにも適用され得る。
【０２０２】
一体化基地局の使用シーンにおいて、第１ネットワークノードは端末装置のターゲット基地局であり、第２ネットワークノードは前記端末装置のソース基地局であり、該使用シーンにおける実現形態は、上記実施例で既に詳細に説明されたため、ここでは省略する。
【０２０３】
ＣＵ−ＤＵネットワークアーキテクチャの使用シーンにおいて、同様に、図６に示すＣ−ＲＡＮアーキテクチャを参照してもよく、Ｃ−ＲＡＮアーキテクチャの構造および配置形態は、上記実施例で既に詳細に説明されたため、ここでは省略する。該使用シーンにおいて、第１ネットワークノードは、ＣＵ−ＤＵネットワークアーキテクチャにおける端末装置のターゲットＤＵおよびＣＵであり、第２ネットワークノードは、ＣＵ−ＤＵネットワークアーキテクチャにおける端末装置のソースＤＵおよびＣＵである。
【０２０４】
図７に示すＣＵ−ＤＵ分離ネットワークアーキテクチャを参照し、非活性状態の技術において、上りまたは下りデータの送信について、ＭＡＣ層およびＰＨＹ層は一般的にデフォルトの配置を採用するため、本発明の実施例において、ＲＬＣ層、ＰＤＣＰ層等をどのように処理するかを考える。本発明の実施例は、ＲＬＣ層をソースＤＵに保留する態様を例として、ＣＵ−ＤＵ分離ネットワークアーキテクチャで端末装置およびネットワークデバイスが認証を行う方法について説明し、本発明の実施例に係る情報伝送装置をＣＵ−ＤＵ分離ネットワークアーキテクチャに適用した使用シーンは、同様に図８を参照してもよい（ここで、ＲＬＣは、ソース側、すなわち、ソースＤＵに保留される）。
【０２０５】
本発明の実施例において、第３受信モジュール３２が共通伝送通路を介して、第２ネットワークノードから端末装置に送信された下り情報および端末装置の識別情報を受信する実現形態は、ターゲットＤＵが共通伝送通路を介して、ソースＤＵのＲＬＣ層から送信された下り情報および端末装置の識別情報を受信するように設置される第３受信モジュール３２を備えてもよく、ここで、該下り情報がＣＵのＰＤＣＰ層からソースＤＵに送信されるものであり、該端末装置の識別情報がソースＤＵによりＣＵのＰＤＣＰ層から受信された初期識別情報に基づいて処理することにより得られるものである。
【０２０６】
本実施例において、ターゲットＤＵとソースＤＵとの間の、非活性状態の端末装置が情報伝送を行うための通路は共通であるため、ＧＴＰ−Ｕの関連プロトコルを拡張し、すなわち、ターゲットＤＵは、ＧＴＰ−Ｕプロトコルヘッダに端末装置の識別情報を追加し、フォーマットは同様に図５に示すデータ構造を参照してもよい。また、ＲＬＣ層がソースＤＵに保持され、つまり、ターゲットＤＵからソースＤＵの間のインタフェースに伝送されるデータパケットのフォーマットは、ＭＡＣ  ＳＤＵまたはＲＬＣ  ＰＤＵであるため、本発明の実施例において、ＣＵ−ＤＵネットワークアーキテクチャには、ＧＴＰ−Ｕ  ＳＤＵおよびＲＬＣ  ＰＤＵのインタフェースおよびルールが予め配置されている。
【０２０７】
本発明の実施例がＣＵ−ＤＵネットワークアーキテクチャに適用されるシーンにおいて、ＭＡＣ層以上の関連パラメータおよび配置情報は、依然としてソース側に保留されるため、ターゲットＤＵおよびソースＤＵの関連パラメータおよび配置情報をアラインメントし、これは、スケジューリングがターゲットＤＵのＭＡＣ層によって実行され、ＭＡＣ層以上の一部のパラメータがスケジューリングに関するためであり、ターゲットＤＵのスケジューリングがパラメータにマッチングすることを確保するために、以下の３種類の形態を採用してもよい。
【０２０８】
形態１、第３受信モジュール３２は、更に、ターゲットＤＵが、第３確立モジュール３１により確立された共通伝送通路を介して、ソースＤＵのＲＬＣ層から送信された該ＲＬＣ層のパラメータ配置情報を受信するように設置される。
【０２０９】
形態２、本発明の実施例に係る装置は、ターゲットＤＵがターゲットＤＵのＲＬＣ層のパラメータ配置情報を設定するように設置される第２設定モジュール３４を更に備えてもよい。
【０２１０】
第３送信モジュール３３は、更に、ターゲットＤＵが、第２設定モジュール３４により設定されたＲＬＣ層のパラメータ配置情報を、共通伝送通路を介して、ソースＤＵのＲＬＣ層に送信し、且つ、該ソースＤＵのＲＬＣ層を介してＣＵに送信するように設置される。第３送信モジュール３３は、更に、該ターゲットＤＵがソースＤＵのＲＬＣ層から送信された確定指示メッセージを受信すると、該ＲＬＣ層のパラメータ配置情報を端末装置に送信するように設置され、ここで、該確定指示メッセージは、ＣＵが該ＲＬＣ層のパラメータ配置情報の使用を確定した後にソースＤＵのＲＬＣ層に送信するメッセージである。
【０２１１】
形態３、第２設定モジュール３４は、ターゲットＤＵがターゲットＤＵのＲＬＣ層のパラメータ配置情報を設定するように設置される。
【０２１２】
第３送信モジュール３３は、更に、ターゲットＤＵが第２設定モジュール３４により設定されたＲＬＣ層のパラメータ配置情報を、ＭＡＣ  ＣＥを介して端末装置に送信するように設置される。
【０２１３】
実際の応用において、本発明の図１６に示す各実施例における第３受信モジュール３２および第３送信モジュール３３は、第１ネットワークノードのトランシーバにより実現でき、第３確立モジュール３１および第２設定モジュール３４は、第１ネットワークノードのプロセッサにより実現でき、該プロセッサは、例えば、１つのＣＰＵ、またはＡＳＩＣ、または本発明の実施例を実現する１つまたは複数の集積回路であってもよく、ここで、第１確立モジュール１１および第３確立モジュール３１は同じであってもよく、異なってもよい。
【０２１４】
図１７は、本発明の実施例に係る更なる情報伝送装置の構造模式図である。本実施例に係る情報伝送装置は、非活性状態または軽接続状態の端末装置がソースサービス基地局から出た後に該ソースサービス基地局と情報伝送を行う場合に適用され、該情報伝送装置はハードウェアとソフトウェアとを組み合わせる形態によって実現され、該装置は第２ネットワークノード（すなわち、ソースサービス基地局）のプロセッサに集積されてプロセッサにより呼び出され使用され得る。図１７に示すように、本発明の実施例に係る情報伝送装置４０は、第４確立モジュール４１と第４送信モジュール４２とを備えてもよい。
【０２１５】
ここで、第４確立モジュール４１は、第１ネットワークノードとの間に共通伝送通路を確立するように設置され、ここで、該共通伝送通路のユーザプレーンプロトコルに端末装置を識別するための予約文字が配置されている。
【０２１６】
本発明の実施例に係る情報伝送装置は、端末装置とソースサービス基地局との間の情報伝送を実行するように設置される。本発明の実施例の使用シーンは、非活性状態または軽接続状態にある端末装置が第２ネットワークノードのサービス領域から出て、且つ第１ネットワークノードのサービス領域まで移動したというシーンである。端末装置の上り情報が第２ネットワークノードに到達し、または第２ネットワークノードの下りデータが端末装置に到達した場合、端末装置との接続が確立されたサービスノードが第１ネットワークノードであるため、端末装置は該第１ネットワークノードを介して第２ネットワークノードと情報伝送を行う。
【０２１７】
ＬＴＥシステムにおいて、共通伝送通路を構築するために、基地局の間に有線接続を確立してもよく、該共通伝送通路は、例えば、ＧＴＰプロトコルベースのＧＴＰトンネルである。本発明の実施例における第２確立モジュール２１は、第１ネットワークノードと第２ネットワークノードとの間の共通伝送通路を確立することができ、第１ネットワークノードと第２ネットワークノードとの間に確立された共通伝送通路は、２つのネットワークノード間でデータ情報および制御情報を伝送するために用いられ、該共通伝送通路はＧＴＰプロトコルベースのものであり、データ情報の伝送はＧＴＰユーザプレーンプロトコルベースのものである。２つのネットワークノード間の通路が共通であるため、端末装置を識別するための関連情報をＧＴＰユーザプレーンプロトコルに追加し、例えば、後続の情報伝送において端末装置の識別情報を記入するための予約文字をＧＴＰ−Ｕプロトコルに追加してもよい。
【０２１８】
第４送信モジュール４２は、端末装置に送信された下り情報および端末装置の識別情報を、第４確立モジュール４１により確立された共通伝送通路を介して、第１ネットワークノードに送信するように設置され、該端末装置は、非活性状態にあり、且つ第２ネットワークノードのサービス領域から第１ネットワークノードのサービス領域まで移動する端末であり、前記第２ネットワークノードは、前記下り情報を前記第１ネットワークノードに送信すると同時に、前記端末装置の識別情報を前記予約文字に記入する。
【０２１９】
本発明の実施例において、端末装置が既に第２ネットワークノードのサービス領域から出て第１ネットワークノードのサービス領域に入ったため、第２ネットワークノードは、下りデータ伝送がある場合、その第４送信モジュール４２で下り情報（下りデータ／下り制御情報を含む）を端末装置との接続が確立された第１ネットワークノードに送信すると同時に、該第１ネットワークノードに端末装置の識別情報を送信し、第１ネットワークノードは端末装置の識別情報に基づいて該下り情報を指定された端末装置に転送することができ、第４確立モジュール４１が共通伝送通路を確立する際に、既にユーザプレーンプロトコルに端末装置を識別するための予約文字を配置したため、第４送信モジュール４２は、下り情報を送信すると同時に、端末装置の識別情報を予約文字に記入して第１ネットワークノードに送信することができる。
【０２２０】
本発明の実施例において、端末装置の識別情報は、ＧＴＰ−Ｕプロトコルヘッダに記入されたものであり、すなわち、上記共通伝送通路を確立する際に配置された予約文字に記入されたものであり、例えば、ｒｅｓｕｍｅ  ＩＤ、分断したｒｅｓｕｍｅ  ＩＤ、または他の形態のＵＥ−ＩＤであってもよく、該ＧＴＰ−Ｕプロトコルヘッダのデータフォーマットは、図５を参照してもよい。第１ネットワークノードは、第２ネットワークノードから送信された下り情報を受信すると、該下り情報のターゲット端末装置を知るが、第１ネットワークノードと第２ネットワークノードとの間の共通伝送通路（すなわち、ＧＴＰトンネル）が共通であるため、第１ネットワークノードが下り情報をのみ受信すれば、該下り情報をどの端末装置に送信するかを知らなくなり、そのため、第２ネットワークノードの第４送信モジュール４２は、下り情報を送信すると同時に、第１ネットワークノードが該下り情報を正確な端末装置に転送することを指示するように設置される端末装置の識別情報を担持する。
【０２２１】
本実施例に係る情報伝送装置は、本発明の実施例の図１５に示す情報伝送方法を実行し、該当する機能モジュールを備えるように設置され、その実現原理および技術的効果は類似し、ここでは省略する。
【０２２２】
本発明の実施例に係る情報伝送装置は、従来の一体化基地局に適用されるだけでなく、同様にＣＵ−ＤＵネットワークアーキテクチャにも適用され得る。
【０２２３】
一体化基地局の使用シーンにおいて、第１ネットワークノードは端末装置のターゲット基地局であり、第２ネットワークノードは前記端末装置のソース基地局であり、該使用シーンにおける実現形態は、上記実施例で既に詳細に説明されたため、ここでは省略する。
【０２２４】
ＣＵ−ＤＵネットワークアーキテクチャの使用シーンにおいて、同様に、図６に示すＣ−ＲＡＮアーキテクチャを参照してもよく、Ｃ−ＲＡＮアーキテクチャの構造および配置形態は、上記実施例で既に詳細に説明されたため、ここでは省略する。該使用シーンにおいて、第１ネットワークノードは、ＣＵ−ＤＵネットワークアーキテクチャにおける端末装置のターゲットＤＵおよびＣＵであり、第２ネットワークノードは、ＣＵ−ＤＵネットワークアーキテクチャにおける端末装置のソースＤＵおよびＣＵである。
【０２２５】
図７に示すＣＵ−ＤＵ分離ネットワークアーキテクチャを参照し、非活性状態の技術において、上りまたは下りデータの送信について、ＭＡＣ層およびＰＨＹ層は一般的にデフォルトの配置を採用するため、本発明の実施例において、ＲＬＣ層、ＰＤＣＰ層等をどのように処理するかを考える。本発明の実施例は、ＲＬＣ層をソースＤＵに保留する態様を例として、ＣＵ−ＤＵ分離ネットワークアーキテクチャで端末装置およびネットワークデバイスが認証を行う方法について説明し、本発明の実施例に係る情報伝送装置をＣＵ−ＤＵ分離ネットワークアーキテクチャに適用した使用シーンは、同様に図８を参照してもよい（ここで、ＲＬＣは、ソース側、すなわち、ソースＤＵに保留される）。
【０２２６】
本発明の実施例において、情報伝送装置４０は、第４受信モジュール４３を更に備えてもよく、第２ネットワークノードが、端末装置に送信された下り情報および端末装置の識別情報を、共通伝送通路を介して、第１ネットワークノードに送信する実現形態は、ソースＤＵのＲＬＣ層がＣＵのＰＤＣＰ層から送信された下り情報および初期識別情報を受信し、初期識別情報を処理して端末装置の識別情報を取得するように設置される第４受信モジュール４３と、更に、ソースＤＵのＲＬＣ層が、下り情報および端末装置の識別情報を、共通伝送通路を介して、ターゲットＤＵに送信するように設置される第４送信モジュール４２と、を備えてもよい。
【０２２７】
本実施例において、ターゲットＤＵとソースＤＵとの間の、非活性状態の端末装置が情報伝送を行うための通路は共通であるため、ＧＴＰ−Ｕの関連プロトコルを拡張し、すなわち、ターゲットＤＵは、ＧＴＰ−Ｕプロトコルヘッダに端末装置の識別情報を追加し、フォーマットは同様に図５に示すデータ構造を参照してもよい。また、ＲＬＣ層がソースＤＵに保持され、つまり、ターゲットＤＵからソースＤＵの間のインタフェースに伝送されるデータパケットのフォーマットは、ＭＡＣ  ＳＤＵまたはＲＬＣ  ＰＤＵであるため、本発明の実施例において、ＣＵ−ＤＵネットワークアーキテクチャには、ＧＴＰ−Ｕ  ＳＤＵおよびＲＬＣ  ＰＤＵのインタフェースおよびルールが予め配置されている。
【０２２８】
本発明の実施例がＣＵ−ＤＵネットワークアーキテクチャに適用されるシーンにおいて、ＭＡＣ層以上の関連パラメータおよび配置情報は、依然としてソース側に保留され、ターゲットＤＵおよびソースＤＵの関連パラメータおよび配置情報をアラインメントし、これは、スケジューリングがターゲットＤＵのＭＡＣ層によって実行され、ＭＡＣ層以上の一部のパラメータがスケジューリングに関するためであり、ターゲットＤＵのスケジューリングがパラメータにマッチングすることを確保するために、本発明の実施例に係る装置において、第４送信モジュール４２は、更に、ソースＤＵのＲＬＣ層が該ＲＬＣ層のパラメータ配置情報を、第４確立モジュール４１により確立された共通伝送通路を介して、前記ターゲットＤＵに送信するように設置される。
【０２２９】
実際の応用において、本発明の上記実施例における図１７に示す第４送信モジュール４２および第４受信モジュール４３は、第２ネットワークノードのトランシーバにより実現でき、第４確立モジュール４１は、第２ネットワークノードのプロセッサにより実現でき、該プロセッサは、例えば、１つのＣＰＵ、またはＡＳＩＣ、または本発明の実施例を実現する１つまたは複数の集積回路であってもよく、ここで、前記第２確立モジュール２１および第４確立モジュール４１は同じであってもよく、異なってもよい。
【０２３０】
当業者であれば、上記方法における全てまたは一部のステップが、プログラムで関連するハードウェア（例えば、プロセッサ）を指令することにより完成でき、前記プログラムが、読み出し専用メモリ、磁気ディスクまたは光ディスク等のようなコンピュータ可読記憶媒体に記憶できることを理解できる。上記実施例の全てまたは一部のステップは、１つまたは複数の集積回路を用いて実現してもよい。上記実施例における各モジュール／ユニットは、ハードウェアの形態で実現されてもよく、例えば、集積回路により、その対応する機能を実現し、ソフトウェア機能モジュールの形態で実現されてもよく、例えば、プロセッサでメモリに記憶されたプログラム／指令を実行することにより、その対応する機能を実現する。
【産業上の利用可能性】
【０２３１】
本発明に係る情報伝送方法および装置は、非活性状態の端末装置が、ソース基地局のサービス領域からターゲット基地局のサービス領域まで移動した後に情報伝送を行うプロセスにおいて、ターゲット基地局がソース基地局へ端末装置のコンテキスト情報を要求することに起因して情報伝送のネットワーク遅延が大きくなるという問題を解決する。
【図１】
0006837163.tif 000002
【図２】
0006837163.tif 000003
【図３】
0006837163.tif 000004
【図４】
0006837163.tif 000005
【図５】
0006837163.tif 000006
【図６】
0006837163.tif 000007
【図７】
0006837163.tif 000008
【図８】
0006837163.tif 000009
【図９】
0006837163.tif 000010
【図１０】
0006837163.tif 000011
【図１１】
0006837163.tif 000012
【図１２】
0006837163.tif 000013
【図１３】
0006837163.tif 000014
【図１４】
0006837163.tif 000015
【図１５】
0006837163.tif 000016
【図１６】
0006837163.tif 000017
【図１７】
0006837163.tif 000018